(57)【要約】【課題】手動及び自動でコンテンツを他の装置から取得可能なコンテンツ管理装置において、自動でコンテンツを取得する際の記憶領域を確保したコンテンツ管理装置及び当該コンテンツ管理装置で動作するコンテンツ管理プログラムを提供する。【解決手段】手動取得コンテンツを記憶する際に記憶できない場合、第一条件（既読）を満たす自動コンテンツをすべて削除し、第二条件（所定期間経過）を満たす自動コンテンツをすべて削除し、第三条件（最も古い）を満たす自動コンテンツを手動取得コンテンツを記憶する空き容量が確保できるまで削除する。そして、自動取得コンテンツを記憶する際に記憶できない場合には、第一条件（既読）を満たす自動コンテンツをすべて削除し、第二条件（所定期間経過）を満たす自動コンテンツをすべて削除し、第三条件（最も古い）を満たす自動コンテンツを、自動取得コンテンツを記憶する空き容量が確保できるまで削除する。【選択図】図２６
2008084057.tif 000002
【特許請求の範囲】
【請求項１】
コンテンツを記憶している他の装置と接続し、前記他の装置へ情報を送信する送信手段と、前記他の装置からの情報を受信する受信手段とを備え、前記他の装置からコンテンツを取得し、コンテンツを記憶するコンテンツ記憶手段に記憶させるコンテンツ管理装置であって、
前記他の装置に記憶されているコンテンツを指定して、当該指定したコンテンツを前記他の装置から前記受信手段により受信して取得する、又は、当該コンテンツ管理装置の前記コンテンツ記憶手段以外の記憶手段に記憶されているコンテンツを指定して取得する手動取得手段と、
前記コンテンツの送信を要求する要求情報を前記他の装置へ前記送信手段により送信し、当該要求情報に応じて当該コンテンツが所定の取得条件を満たしている場合に前記装置から送信された前記コンテンツ、及び、前記他の装置から自発的に送信された前記コンテンツのうちの少なくとも一方を前記受信手段により受信して取得する、又は、当該コンテンツ管理装置において所定の取得条件を満たすコンテンツが作成された場合に当該作成されたコンテンツを取得する自動取得手段と、
前記手動取得手段により取得された前記コンテンツを前記コンテンツ記憶手段に記憶する際に、すでに前記手動取得手段により取得されて前記コンテンツ記憶手段に記憶されているコンテンツである手動コンテンツの容量と当該取得されたコンテンツの容量とを合わせた容量が、当該コンテンツ記憶手段のうち前記手動コンテンツの記憶を許可する最大手動記憶容量を超えるか否かを判断する記憶容量判断手段と、
当該記憶容量判断手段により前記最大手動記憶容量を超えないと判断された場合にのみ、当該取得されたコンテンツを前記コンテンツ記憶手段に前記手動コンテンツとして記憶する手動コンテンツ記憶制御手段と、
前記記憶容量判断手段により前記最大手動記憶容量を超えると判断された場合に、前記コンテンツ記憶手段に記憶されている前記手動コンテンツの削除を依頼するメッセージを出力するメッセージ出力制御手段と、
前記自動取得手段により取得された前記コンテンツを前記コンテンツ記憶手段に記憶可能であるか否かを判断する自動記憶判断手段と、
前記自動記憶判断手段により記憶可能であると判断された場合に、前記自動取得手段により取得された前記コンテンツを前記コンテンツ記憶手段に自動コンテンツとして記憶する自動コンテンツ記憶制御手段と、
当該自動記憶判断手段により記憶可能でないと判断された場合に、前記コンテンツ記憶手段に記憶されている前記自動コンテンツを第一の削除条件に基づいて削除し、前記自動取得手段により取得される前記コンテンツを前記コンテンツ記憶手段に記憶する第一自動削除記憶制御手段とを備えたことを特徴とするコンテンツ管理装置。
【請求項２】
前記自動記憶判断手段は、前記コンテンツ記憶手段に記憶されている前記自動コンテンツの容量と前記自動取得手段により取得された前記コンテンツの容量とを合わせた容量が、前記コンテンツ記憶手段の全容量から前記最大手動記憶容量を除いた容量である自動記憶容量を超える場合に、当該取得されたコンテンツを記憶可能でないと判断することを特徴とする請求項１に記載のコンテンツ管理装置。
【請求項３】
前記自動記憶判断手段は、前記自動取得手段により取得された前記コンテンツの容量よりも前記コンテンツ記憶手段の空き容量が小さい場合に、当該取得されたコンテンツを記憶可能でないと判断することを特徴とする請求項１に記載のコンテンツ管理装置。
【請求項４】
前記第一の削除条件は、前記自動コンテンツが利用済みであることであることを特徴とする請求項１乃至３のいずれかに記載のコンテンツ管理装置。
【請求項５】
前記第一の削除条件は、前記自動コンテンツが前記コンテンツ記憶手段に記憶されてから所定時間経過したことであることを特徴とする請求項１乃至４のいずれかに記載のコンテンツ管理装置。
【請求項６】
前記第一の削除条件は、前記コンテンツ記憶手段に記憶されている前記自動コンテンツのうち、記憶された日時の古い順から所定数の前記自動コンテンツに該当することであることを特徴とする請求項１乃至５のいずれかに記載のコンテンツ管理装置。
【請求項７】
前記第一自動削除記憶制御手段は、前記第一の削除条件を満たす前記自動コンテンツをすべて削除することを特徴とする請求項１乃至６のいずれかに記載のコンテンツ管理装置。
【請求項８】
前記第一自動削除記憶制御手段は、前記コンテンツ記憶手段の空き容量が前記自動取得手段により取得された前記コンテンツの容量以上となるように前記第一の削除条件を満たす前記自動コンテンツを削除することを特徴とする請求項１乃至６のいずれかに記載のコンテンツ管理装置。
【請求項９】
前記第一自動削除記憶制御手段は、前記コンテンツ記憶手段に記憶されている前記自動コンテンツの容量が、前記コンテンツ記憶手段の全容量から前記最大手動記憶容量を除いた容量である自動記憶容量以下となるように前記第一の削除条件を満たす前記自動コンテンツを削除することを特徴とする請求項１及び請求項３乃至６のいずれかに記載のコンテンツ管理装置。
【請求項１０】
前記手動取得手段により取得された前記コンテンツを前記コンテンツ記憶手段に記憶する際に、前記コンテンツ記憶手段の空き容量が当該取得されたコンテンツの容量よりも小さい場合に、前記コンテンツ記憶手段の全容量から前記最大手動記憶容量を除いた容量である自動記憶容量を超えて前記自動コンテンツが記憶されていれば、前記コンテンツ記憶手段に記憶されている前記自動コンテンツを第二の削除条件に基づいて削除し、前記自動取得手段により取得される前記コンテンツを前記コンテンツ記憶手段に記憶する第二自動削除記憶制御手段を備えたことを特徴とする請求項３乃至９のいずれかに記載のコンテンツ管理装置。
【請求項１１】
前記第二の削除条件は、前記自動コンテンツが利用済みであることであることを特徴とする請求項１０に記載のコンテンツ管理装置。
【請求項１２】
前記第二の削除条件は、前記自動コンテンツが前記コンテンツ記憶手段に記憶されてから所定時間経過したことであることを特徴とする請求項１０又は１１記載のコンテンツ管理装置。
【請求項１３】
前記第二の削除条件は、前記コンテンツ記憶手段に記憶されている前記自動コンテンツのうち、記憶された日時の古い順から所定数の前記自動コンテンツに該当することであることを特徴とする請求項１０乃至１２のいずれかに記載のコンテンツ管理装置。
【請求項１４】
前記第二自動削除記憶制御手段は、前記第二の削除条件を満たす前記自動コンテンツをすべて削除することを特徴とする請求項１０乃至１３のいずれかに記載のコンテンツ管理装置。
【請求項１５】
前記第二自動削除記憶制御手段は、前記コンテンツ記憶手段の空き容量が前記手動取得手段により取得された前記コンテンツの容量以上となるように前記第二の削除条件を満たす前記自動コンテンツを削除することを特徴とする請求項１０乃至１３のいずれかに記載のコンテンツ管理装置。
【請求項１６】
前記第二自動削除記憶制御手段は、前記コンテンツ記憶手段に記憶されている前記自動コンテンツの容量が前記自動記憶容量以下となるように前記第二の削除条件を満たす前記自動コンテンツを削除することを特徴とする請求項１０乃至１３のいずれかに記載のコンテンツ管理装置。
【請求項１７】
前記所定の取得条件は、前記コンテンツの内容が変更されたことであることを特徴とする請求項１乃至１６のいずれかに記載のコンテンツ管理装置。
【請求項１８】
前記コンテンツ記憶手段を備えたことを特徴とする請求項１乃至１７のいずれかに記載のコンテンツ管理装置。
【請求項１９】
請求項１乃至１８のいずれかに記載のコンテンツ管理装置の各種処理手段としてコンピュータを機能させるためのコンテンツ管理プログラム。
【発明の詳細な説明】
【技術分野】
【０００１】
本発明は、コンテンツ管理装置及びコンテンツ管理プログラムに関するものであり、詳細には、手動及び自動でコンテンツを取得可能なコンテンツ管理装置及び当該コンテンツ管理装置で動作するコンテンツ管理プログラムに関するものである。
【背景技術】
【０００２】
従来、携帯型の端末やパーソナルコンピュータに文書、音楽、映像等の種々のコンテンツを記憶させ、これらのコンテンツを携帯型の端末で閲覧したり、視聴したりしている。一般的に、これらのコンテンツは、インターネットやＬＡＮなどのネットワークに接続して他の装置から取得されている。このコンテンツの取得において、手動で取得する方法と自動で取得する方法とが用いられている。手動で取得する方法とは、ユーザがネットワーク上を探索して、求めるコンテンツを選択し、自身の装置（携帯型端末やパーソナルコンピュータなど）に記憶させるという能動的な取得の方法である。
【０００３】
一方、自動で取得する方法としては、予め設定や登録を行っておくことにより、自動的にコンテンツを取得することができる受動的な取得の方法である。例えば、ＲＳＳ（ＲＤＦ  Ｓｉｔｅ  Ｓｕｍｍａｒｙ／Ｒｉｃｈ  Ｓｉｔｅ  Ｓｕｍｍａｒｙ／Ｒｅａｌｌｙ  Ｓｉｍｐｌｅ  Ｓｙｎｄｉｃａｔｉｏｎ）リーダを用いた方法がある。予めＲＳＳリーダにＷｅｂサイトのＲＳＳ形式のデータを示すＵＲＬを登録しておく。そして、所定時間（例えば、１０分ごと）にＲＳＳ形式のデータを読み込み、そのＲＳＳ形式のデータに前回から変更があった場合にＷｅｂサイトの情報をダウンロードしてくる。また、メールマガジンのように発行元に自身の端末が受信可能な電子メールアドレスを登録しておき、発行元が送信してくるメールを受信する方法などがこれに該当する。このような自動で取得する方法は、更新されたりや新たに作成されたりしたコンテンツを自動的取得できるという利点がある。さらに、ＲＳＳ形式のデータを読み込みやメールサーバへのメール受信の問い合わせの間隔を短くすれば、リアルタイムに近い状態で知ることができる。
【０００４】
また、このようにコンテンツを取得する際に、コンテンツを取得する側の記憶容量が小さい場合、限られたコンテンツしか利用できないという問題点があった。そこで、特許文献１に記載の発明のコンテンツ管理システムが提案されている。特許文献１に記載の発明のコンテンツ管理システムでは、手動で第二の情報処理装置（コンテンツを提供する装置）に記憶されているコンテンツを第一の情報処理装置（コンテンツを取得する装置）にダウンロードする旨の指示（ダウンロード要求）を行い、ダウンロードし、第一の情報処理装置に記憶している。なお、第一の情報処理装置には、ダウンロード要求を行ったコンテンツのリストが記憶される。そして、第一の情報処理装置において記憶容量が足りずにダウンロードできない場合には、第一の情報処理装置において再生されたコンテンツの容量が、取得したいコンテンツの容量よりも大きくなった際に、第二の情報処理装置に接続し、再生済みのコンテンツを削除して、未ダウンロードのコンテンツのダウンロード要求を行い、コンテンツを取得している。つまり、手動で取得しようとして容量不足により取得できなかったコンテンツを、再生済み（不要）となったコンテンツを自動的に削除することにより、記憶容量を確保して、後に取得している。
【特許文献１】特開２００４−４６４９７号公報
【発明の開示】
【発明が解決しようとする課題】
【０００５】
携帯型の端末やパーソナルコンピュータ等のコンテンツを記憶する端末においては、記憶容量に限りがある。これに対して、特許文献１に記載の発明のコンテンツ管理システムでは、手動で取得する方法においてコンテンツが容量不足で取得できない場合の対処方法が提案されているが、手動でコンテンツを取得する場合についてのみしか考慮されておらず、手動でも自動でもコンテンツを取得する装置についての対処は考えられていない。
【０００６】
手動、自動の両方でコンテンツを取得する装置においては、手動で多数のコンテンツを取得して記憶させてしまうと、自動でコンテンツが取得された場合に、そのコンテンツを記憶するのに十分な空き容量がなく、記憶できないという問題が発生する。自動で取得するコンテンツの場合には、指定したコンテンツを自動的に取得できるという利点があるが、記憶容量不足によりコンテンツが記憶されなければ、意味が無い。つまり、ユーザは手間なく指定したコンテンツをコンテンツ管理装置に記憶させたいので自動取得の設定をしているにも関わらず、自動で取得したコンテンツを記憶できないという問題がある。
【０００７】
本発明は、上述の問題点を解決するためになされたものであり、手動及び自動でコンテンツを他の装置から取得可能なコンテンツ管理装置において、自動でコンテンツを取得する際の記憶領域を確保したコンテンツ管理装置及び当該コンテンツ管理装置で動作するコンテンツ管理プログラムを提供することを目的とする。
【課題を解決するための手段】
【０００８】
上記課題を解決するため、請求項１に係る発明のコンテンツ管理装置では、コンテンツを記憶している他の装置と接続し、前記他の装置へ情報を送信する送信手段と、前記他の装置からの情報を受信する受信手段とを備え、前記他の装置からコンテンツを取得し、コンテンツを記憶するコンテンツ記憶手段に記憶させるコンテンツ管理装置であって、前記他の装置から取得したコンテンツを記憶するコンテンツ記憶手段と、前記他の装置に記憶されているコンテンツを指定して、当該指定したコンテンツを前記他の装置から前記受信手段により受信して取得する、又は、当該コンテンツ管理装置の前記コンテンツ記憶手段以外の記憶手段に記憶されているコンテンツを指定して取得する手動取得手段と、前記コンテンツの送信を要求する要求情報を前記他の装置へ前記送信手段により送信し、当該要求情報に応じて当該コンテンツが所定の取得条件を満たしている場合に前記装置から送信された前記コンテンツ、及び、前記他の装置から自発的に送信された前記コンテンツのうちの少なくとも一方を前記受信手段により受信して取得する、又は、当該コンテンツ管理装置において所定の取得条件を満たすコンテンツが作成された場合に当該作成されたコンテンツを取得する自動取得手段と、前記手動取得手段により取得された前記コンテンツを前記コンテンツ記憶手段に記憶する際に、すでに前記手動取得手段により取得されて前記コンテンツ記憶手段に記憶されているコンテンツである手動コンテンツの容量と当該取得されたコンテンツの容量とを合わせた容量が、当該コンテンツ記憶手段のうち前記手動コンテンツの記憶を許可する最大手動記憶容量を超えるか否かを判断する記憶容量判断手段と、当該記憶容量判断手段により前記最大手動記憶容量を超えないと判断された場合にのみ、当該取得されたコンテンツを前記コンテンツ記憶手段に前記手動コンテンツとして記憶する手動コンテンツ記憶制御手段と、前記記憶容量判断手段により前記最大手動記憶容量を超えると判断された場合に、前記コンテンツ記憶手段に記憶されている前記手動コンテンツの削除を依頼するメッセージを出力するメッセージ出力制御手段と、前記自動取得手段により取得された前記コンテンツを前記コンテンツ記憶手段に記憶可能であるか否かを判断する自動記憶判断手段と、前記自動記憶判断手段により記憶可能であると判断された場合に、前記自動取得手段により取得された前記コンテンツを前記コンテンツ記憶手段に自動コンテンツとして記憶する自動コンテンツ記憶制御手段と、当該自動記憶判断手段により記憶可能でないと判断された場合に、前記コンテンツ記憶手段に記憶されている前記自動コンテンツを第一の削除条件に基づいて削除し、前記自動取得手段により取得される前記コンテンツを前記コンテンツ記憶手段に記憶する第一自動削除記憶制御手段とを備えたことを特徴とする。
【０００９】
また、請求項２に係る発明のコンテンツ管理装置では、請求項１に記載の発明の構成に加えて、前記自動記憶判断手段は、前記コンテンツ記憶手段に記憶されている前記自動コンテンツの容量と前記自動取得手段により取得された前記コンテンツの容量とを合わせた容量が、前記コンテンツ記憶手段の全容量から前記最大手動記憶容量を除いた容量である自動記憶容量を超える場合に、当該取得されたコンテンツを記憶可能でないと判断することを特徴とする。
【００１０】
また、請求項３に係る発明のコンテンツ管理装置では、請求項１に記載の発明の構成に加えて、前記自動記憶判断手段は、前記自動取得手段により取得された前記コンテンツの容量よりも前記コンテンツ記憶手段の空き容量が小さい場合に、当該取得されたコンテンツを記憶可能でないと判断することを特徴とする。
【００１１】
また、請求項４に係る発明のコンテンツ管理装置では、請求項１乃至３のいずれかに記載の発明の構成に加えて、前記第一の削除条件は、前記自動コンテンツが利用済みであることであることを特徴とする。
【００１２】
また、請求項５に係る発明のコンテンツ管理装置では、請求項１乃至４のいずれかに記載の発明の構成に加えて、前記第一の削除条件は、前記自動コンテンツが前記コンテンツ記憶手段に記憶されてから所定時間経過したことであることを特徴とする。
【００１３】
また、請求項６に係る発明のコンテンツ管理装置では、請求項１乃至５のいずれかに記載の発明の構成に加えて、前記第一の削除条件は、前記コンテンツ記憶手段に記憶されている前記自動コンテンツのうち、記憶された日時の古い順から所定数の前記自動コンテンツに該当することであることを特徴とする。
【００１４】
また、請求項７に係る発明のコンテンツ管理装置では、請求項１乃至６のいずれかに記載の発明の構成に加えて、前記第一自動削除記憶制御手段は、前記第一の削除条件を満たす前記自動コンテンツをすべて削除することを特徴とする。
【００１５】
また、請求項８に係る発明のコンテンツ管理装置では、請求項１乃至６のいずれかに記載の発明の構成に加えて、前記第一自動削除記憶制御手段は、前記コンテンツ記憶手段の空き容量が前記自動取得手段により取得された前記コンテンツの容量以上となるように前記第一の削除条件を満たす前記自動コンテンツを削除することを特徴とする。
【００１６】
また、請求項９に係る発明のコンテンツ管理装置では、請求項１及び請求項３乃至６のいずれかに記載の発明の構成に加えて、前記第一自動削除記憶制御手段は、前記コンテンツ記憶手段に記憶されている前記自動コンテンツの容量が、前記コンテンツ記憶手段の全容量から前記最大手動記憶容量を除いた容量である自動記憶容量以下となるように前記第一の削除条件を満たす前記自動コンテンツを削除することを特徴とする。
【００１７】
また、請求項１０に係る発明のコンテンツ管理装置では、請求項３乃至９のいずれかに記載の発明の構成に加えて、前記手動取得手段により取得された前記コンテンツを前記コンテンツ記憶手段に記憶する際に、前記コンテンツ記憶手段の空き容量が当該取得されたコンテンツの容量よりも小さい場合に、前記コンテンツ記憶手段の全容量から前記最大手動記憶容量を除いた容量である自動記憶容量を超えて前記自動コンテンツが記憶されていれば、前記コンテンツ記憶手段に記憶されている前記自動コンテンツを第二の削除条件に基づいて削除し、前記自動取得手段により取得される前記コンテンツを前記コンテンツ記憶手段に記憶する第二自動削除記憶制御手段を備えたことを特徴とする。
【００１８】
また、請求項１１に係る発明のコンテンツ管理装置では、請求項１０に記載の発明の構成に加えて、前記第二の削除条件は、前記自動コンテンツが利用済みであることであることを特徴とする。
【００１９】
また、請求項１２に係る発明のコンテンツ管理装置では、請求項１０又は１１記載の発明の構成に加えて、前記第二の削除条件は、前記自動コンテンツが前記コンテンツ記憶手段に記憶されてから所定時間経過したことであることを特徴とする。
【００２０】
また、請求項１３に係る発明のコンテンツ管理装置では、請求項１０乃至１２のいずれかに記載の発明の構成に加えて、前記第二の削除条件は、前記コンテンツ記憶手段に記憶されている前記自動コンテンツのうち、記憶された日時の古い順から所定数の前記自動コンテンツに該当することであることを特徴とする。
【００２１】
また、請求項１４に係る発明のコンテンツ管理装置では、請求項１０乃至１３のいずれかに記載の発明の構成に加えて、前記第二自動削除記憶制御手段は、前記第二の削除条件を満たす前記自動コンテンツをすべて削除することを特徴とする。
【００２２】
また、請求項１５に係る発明のコンテンツ管理装置では、請求項１０乃至１３のいずれかに記載の発明の構成に加えて、前記第二自動削除記憶制御手段は、前記コンテンツ記憶手段の空き容量が前記手動取得手段により取得された前記コンテンツの容量以上となるように前記第二の削除条件を満たす前記自動コンテンツを削除することを特徴とする。
【００２３】
また、請求項１６に係る発明のコンテンツ管理装置では、請求項１０乃至１３のいずれかに記載の発明の構成に加えて、前記第二自動削除記憶制御手段は、前記コンテンツ記憶手段に記憶されている前記自動コンテンツの容量が前記自動記憶容量以下となるように前記第二の削除条件を満たす前記自動コンテンツを削除することを特徴とする。
【００２４】
また、請求項１７に係る発明のコンテンツ管理装置では、請求項１乃至１６のいずれかに記載の発明の構成に加えて、前記所定の取得条件は、前記コンテンツの内容が変更されたことであることを特徴とする。
【００２５】
また、請求項１８に係る発明のコンテンツ管理装置では、請求項１乃至１７のいずれかに記載の発明の構成に加えて、前記コンテンツ記憶手段を備えている。
【００２６】
また、請求項１９に係る発明のコンテンツ管理プログラムでは、請求項１乃至１８のいずれかに記載のコンテンツ管理装置の各種処理手段としてコンピュータを機能させる。
【発明の効果】
【００２７】
請求項１に係る発明のコンテンツ管理装置では、手動取得手段は、他の装置に記憶されているコンテンツを指定して、指定したコンテンツを他の装置から受信手段により受信して取得する、又は、コンテンツ管理装置のコンテンツ記憶手段以外の記憶手段に記憶されているコンテンツを指定して取得し、自動取得手段は、コンテンツの送信を要求する要求情報を他の装置へ送信手段により送信し、要求情報に応じてコンテンツが所定の取得条件を満たしている場合に装置から送信されたコンテンツ、及び、他の装置から自発的に送信されたコンテンツのうちの少なくとも一方を受信手段により受信して取得する、又は、コンテンツ管理装置において所定の取得条件を満たすコンテンツが作成された場合に作成されたコンテンツを取得することができる。そして、記憶容量判断手段は、手動取得手段により取得されたコンテンツをコンテンツ記憶手段に記憶する際に、すでに手動取得手段により取得されてコンテンツ記憶手段に記憶されているコンテンツである手動コンテンツの容量と取得された手動コンテンツの容量とを合わせた容量が、コンテンツ記憶手段のうち手動コンテンツの記憶を許可する最大手動記憶容量を超えるか否かを判断し、手動コンテンツ記憶制御手段は、記憶容量判断手段により最大手動記憶容量を超えないと判断された場合にのみ、取得されたコンテンツをコンテンツ記憶手段に手動コンテンツとして記憶し、メッセージ出力制御手段は、記憶容量判断手段により最大手動記憶容量を超えると判断された場合に、コンテンツ記憶手段に記憶されている手動コンテンツの削除を依頼するメッセージを出力する。即ち、手動取得手段により取得されたコンテンツを記憶する際には最大手動記憶容量を超えて記憶しようとしている場合に手動コンテンツの削除を依頼するメッセージが表示され、最大記憶容量を超えない場合にのみ手動コンテンツを記憶するので、自動コンテンツを記憶する容量が必ず確保される。一方、自動記憶判断手段は、自動取得手段により取得されたコンテンツをコンテンツ記憶手段に記憶可能であるか否かを判断し、自動コンテンツ記憶制御手段は、自動記憶判断手段により記憶可能であると判断された場合に、自動取得手段により取得されたコンテンツをコンテンツ記憶手段に自動コンテンツとして記憶し、第一自動削除記憶制御手段は、自動記憶判断手段により記憶可能でないと判断された場合に、コンテンツ記憶手段に記憶されている自動コンテンツを第一の削除条件に基づいて削除し、自動取得手段により取得されるコンテンツをコンテンツ記憶手段に記憶する。したがって、自動コンテンツが取得された際に取得されたコンテンツを記憶する記憶容量がなくとも、すでに記憶されている不要な自動コンテンツを第一の削除条件に基づいて削除して、新たに取得された自動コンテンツを記憶するので、自動取得手段により取得した新たな自動コンテンツが記憶されないといった問題がない。
【００２８】
また、請求項２に係る発明のコンテンツ管理装置では、請求項１に記載の発明の効果に加えて、自動記憶判断手段は、コンテンツ記憶手段に記憶されている自動コンテンツの容量と自動取得手段により取得されたコンテンツの容量とを合わせた容量が、コンテンツ記憶手段の全容量から最大手動記憶容量を除いた容量である自動記憶容量を超える場合に、取得されたコンテンツを記憶可能でないと判断するので、自動コンテンツを記憶する自動記憶容量が決められているので、手動コンテンツを記憶する容量がなくなるということがない。
【００２９】
また、請求項３に係る発明のコンテンツ管理装置では、請求項１に記載の発明の効果に加えて、自動記憶判断手段は、自動取得手段により取得されたコンテンツの容量よりもコンテンツ記憶手段の空き容量が小さい場合に、取得されたコンテンツを記憶可能でないと判断するので、手動取得手段により取得されるコンテンツのための容量を考えずに自動取得手段により取得されたコンテンツをコンテンツ記憶手段に記憶することができ、最大手動記憶容量未満の容量しか手動コンテンツが使用していない場合であっても、最大手動記憶容量内の未使用容量を無駄にすることがない。
【００３０】
また、請求項４に係る発明のコンテンツ管理装置では、請求項１乃至３のいずれかに記載の発明の効果に加えて、第一の削除条件は、自動コンテンツが利用済みであることとすることができる。したがって、まだ使用していないコンテンツを削除してしまうことがない。
【００３１】
また、請求項５に係る発明のコンテンツ管理装置では、請求項１乃至４のいずれかに記載の発明の効果に加えて、第一の削除条件は、自動コンテンツがコンテンツ記憶手段に記憶されてから所定時間経過したこととすることができる。したがって、所定期間を経過した比較的古い自動コンテンツを削除し、比較的新しい自動コンテンツを削除せずに残すことができる。
【００３２】
また、請求項６に係る発明のコンテンツ管理装置では、請求項１乃至５のいずれかに記載の発明の効果に加えて、第一の削除条件は、コンテンツ記憶手段に記憶されている自動コンテンツのうち、記憶された日時の古い順から所定数の自動コンテンツに該当することとすることができる。したがって、コンテンツ記憶手段に記憶されている自動コンテンツから削除することができる。
【００３３】
また、請求項７に係る発明のコンテンツ管理装置では、請求項１乃至６のいずれかに記載の発明の効果に加えて、第一自動削除記憶制御手段は、第一の削除条件を満たす自動コンテンツをすべて削除することができる。したがって、取得されたコンテンツの容量に関係なく自動コンテンツを削除して空き容量を確保することができる。
【００３４】
また、請求項８に係る発明のコンテンツ管理装置では、請求項１乃至６のいずれかに記載の発明の効果に加えて、第一自動削除記憶制御手段は、コンテンツ記憶手段の空き容量が自動取得手段により取得されたコンテンツの容量以上となるように第一の削除条件を満たす自動コンテンツを削除することができる。したがって、取得されたコンテンツを記憶するのに十分なだけ自動コンテンツを削除して空き容量を確保するので、最低限の自動コンテンツしか削除されない。
【００３５】
また、請求項９に係る発明のコンテンツ管理装置では、請求項１及び請求項３乃至６のいずれかに記載の発明の効果に加えて、第一自動削除記憶制御手段は、コンテンツ記憶手段に記憶されている自動コンテンツの容量が、コンテンツ記憶手段の全容量から最大手動記憶容量を除いた容量である自動記憶容量以下となるように第一の削除条件を満たす自動コンテンツを削除することができる。したがって、自動取得手段により取得されたコンテンツを記憶するための自動記憶容量分だけ自動コンテンツを削除するので、すべての自動コンテンツを削除したり、取得されたコンテンツの容量だけ削除したりするよりも、適度な空き容量を確保することができる。
【００３６】
また、請求項１０に係る発明のコンテンツ管理装置では、請求項３乃至９のいずれかに記載の発明の効果に加えて、第二自動削除記憶制御手段は、手動取得手段により取得されたコンテンツをコンテンツ記憶手段に記憶する際に、コンテンツ記憶手段の空き容量が取得されたコンテンツの容量よりも小さい場合に、コンテンツ記憶手段の全容量から最大手動記憶容量を除いた容量である自動記憶容量を超えて自動コンテンツが記憶されていれば、コンテンツ記憶手段に記憶されている自動コンテンツを第二の削除条件に基づいて削除し、自動取得手段により取得されるコンテンツをコンテンツ記憶手段に記憶することができる。したがって、手動取得手段によりコンテンツを取得した際に、手動コンテンツを削除しなくとも空き容量を確保することができる。
【００３７】
また、請求項１１に係る発明のコンテンツ管理装置では、請求項１０に記載の発明の効果に加えて、第二の削除条件は、自動コンテンツが利用済みであることとすることができる。したがって、まだ使用していないコンテンツを削除してしまうことがない。
【００３８】
また、請求項１２に係る発明のコンテンツ管理装置では、請求項１０又は１１記載の発明の効果に加えて、第二の削除条件は、自動コンテンツがコンテンツ記憶手段に記憶されてから所定時間経過したこととすることができる。したがって、所定期間を経過した比較的古い自動コンテンツを削除し、比較的新しい自動コンテンツを削除せずに残すことができる。
【００３９】
また、請求項１３に係る発明のコンテンツ管理装置では、請求項１０乃至１２のいずれかに記載の発明の効果に加えて、第二の削除条件は、コンテンツ記憶手段に記憶されている自動コンテンツのうち、記憶された日時の古い順から所定数の自動コンテンツに該当することとすることができる。したがって、コンテンツ記憶手段に記憶されている自動コンテンツから削除することができる。
【００４０】
また、請求項１４に係る発明のコンテンツ管理装置では、請求項１０乃至１３のいずれかに記載の発明の効果に加えて、第二自動削除記憶制御手段は、第二の削除条件を満たす自動コンテンツをすべて削除することができる。
【００４１】
また、請求項１５に係る発明のコンテンツ管理装置では、請求項１０乃至１３のいずれかに記載の発明の効果に加えて、第二自動削除記憶制御手段は、コンテンツ記憶手段の空き容量が手動取得手段により取得されたコンテンツの容量以上となるように第二の削除条件を満たす自動コンテンツを削除することができる。
【００４２】
また、請求項１６に係る発明のコンテンツ管理装置では、請求項１０乃至１３のいずれかに記載の発明の効果に加えて、第二自動削除記憶制御手段は、コンテンツ記憶手段に記憶されている自動コンテンツの容量が自動記憶容量以下となるように第二の削除条件を満たす自動コンテンツを削除することができる。自動記憶容量以上にはみ出して記憶されている自動コンテンツが削除されるので、手動コンテンツの記憶を許可する最大記憶容量を空き容量及び手動コンテンツで確保することができる。
【００４３】
また、請求項１７に係る発明のコンテンツ管理装置では、請求項１乃至１６のいずれかに記載の発明の効果に加えて、所定の取得条件は、コンテンツの内容が変更されたこととすることができる。したがって、コンテンツの内容が変更されるとそのコンテンツを自動で取得することができるので、ユーザは最新のコンテンツの内容を得ることができる。
【００４４】
また、請求項１８に係る発明のコンテンツ管理装置では、請求項１乃至１７のいずれかに記載の発明の効果に加えて、コンテンツ記憶手段が備えられているので、自身に設けられているコンテンツ記憶手段に自動取得手段により取得した新たな自動コンテンツを記憶する際に、記憶されないといった問題がない。
【００４５】
また、請求項１９に係る発明のコンテンツ管理プログラムでは、請求項１乃至１７のいずれかに記載のコンテンツ管理装置の各種処理手段としてコンピュータを機能させることができる。したがって、請求項１乃至１８のいずれかの効果と同様の効果を奏することができる。
【発明を実施するための最良の形態】
【００４６】
以下、本発明の第一の実施の形態から第三の実施の形態を図面を参照して説明する。まず、図１を参照して、第一の実施の形態から第三の実施の形態において「コンテンツ管理装置」の一部に該当するコンテンツ表示装置１の外観及び主な動作について説明する。図１はコンテンツ表示装置１の正面図である。図１に示すように、コンテンツ表示装置１は、は略直方体形状をしており、その正面には電気泳動表示媒体を備える表示部１０が設けられている。また、図１において図示しないが、コンテンツ表示装置１の右側面にはメモリカード１７（図９，図１３参照）を挿入する挿入口が設けられている。さらに、右側面には、「コンテンツ管理装置」の一部に該当するパーソナルコンピュータ２（以下、ＰＣという、図９参照）に接続するケーブルを接続するためのポートが設けられている。コンテンツ表示装置１では、メモリカード１７に記憶されているコンテンツを表示部１０において表示させることができる。なお、第一の実施の形態から第三の実施の形態における「コンテンツ」は文字や静止画像を含む文書データである。
【００４７】
そして、表示部１０の右側には、決定キー２５が設けられており、決定キー２５の上下左右にはそれぞれ、上キー２１，下キー２２，左キー２４，右キー２３が設けられている。そして、決定キー２５，上キー２１，下キー２２，左キー２４及び右キー２３の上部には目次キー２６及び削除キー２７が設けられている。目次キー２６は目次画面を表示するためのキーであり、削除キーはコンテンツを削除するためのキーであり、決定キーは表示させるコンテンツや削除するコンテンツを決定するためのキーであり、上キー２１及び下キー２２は目次画面や削除画面においてコンテンツを選択するためのキーであり、左キー２４及び右キー２３は表示されているコンテンツのページめくりを行うためのキーである。
【００４８】
これらのキー２１〜２７を操作することにより、メモリカード１７に記憶されているコンテンツの閲覧等の動作が行われる。具体的には、目次キーを選択すると、メモリカード１７に記憶されているコンテンツの一覧を記載した目次画面（図示外）が表示部１０に表示される。この目次画面では、上キー２１及び下キー２２を操作することにより、カーソルを移動させ、コンテンツを選択することができる。そして、決定キー２５を選択するとカーソルにより選択されているコンテンツが表示コンテンツとして決定され、表示部１０に表示される。表示部１０にコンテンツが表示されている際には、左キー２４を選択すると、コンテンツの次のページが表示され、右キー２３を選択すると、コンテンツの前のページが表示される。また、目次画面において削除キー２７を選択するとカーソルにより選択されているコンテンツが削除される。さらに、表示部１０にコンテンツが表示されている状態で削除キーが選択されると、表示されているコンテンツが削除される。
【００４９】
また、コンテンツ表示装置１は、ＰＣ９に接続して、ＰＣ９からコンテンツを取得して、メモリカード１７に記憶する。ＰＣ９には、コンテンツ表示装置１に送信するコンテンツ（送信コンテンツ）を取得するためのコンテンツ取得アプリケーションがインストールされている。このコンテンツ取得アプリケーションでは、ＰＣ９内のコンテンツやＬＡＮ内のコンテンツ、インターネット５上に提供されているコンテンツを周知の技術によりユーザに指定させることにより、これらのコンテンツの実データであるコンテンツデータ及びヘッダデータをＰＣ９のハードディスク装置９２０の取得コンテンツ記憶エリア９２１（図１１参照）に記憶する。この処理を行うＰＣ９のＣＰＵ９０１が「手動取得手段」に相当する。なお、このような送信コンテンツの取得の方法を「手動取得」ということとする。また、ヘッダデータには、コンテンツ名、コンテンツの記憶容量（サイズ）、「手動取得」で取得されたコンテンツであることを示す値（例えば「１」）が記憶されている。
【００５０】
さらに、コンテンツ取得アプリケーションでは、「自動取得」という方法でコンテンツを取得することができる。この自動取得は、ユーザが取得するコンテンツ１つ１つを毎回指定するのではなく、予め設定された（ユーザが指定した）情報に基づいてコンテンツ取得アプリケーションがコンテンツを取得してくるものである。この処理を行うＰＣ９のＣＰＵ９０１が「自動取得手段」に相当する。
【００５１】
「自動取得方法」とは、例えば、ＲＳＳ（ＲＤＦ  Ｓｉｔｅ  Ｓｕｍｍａｒｙ）を利用したものである。ＲＳＳ文書の提供されているサイトのＵＲＬ（Ｕｎｉｆｏｒｍ  Ｒｅｓｏｕｒｃｅ  Ｌｏｃａｔｏｒ）、ＲＳＳ文書取得のタイミング（所定時間ごと、指定された時刻、インターネット５に接続した際など）を登録する。すると、所謂ＲＳＳリーダと呼ばれる機能を利用して、登録されたタイミングでＰＣ９はインターネット５を介して登録されたＵＲＬに置かれているＲＳＳ文書を取得する。そして、前回取得したＲＳＳ文書の情報と比較し、情報に変化があれば、このＲＳＳ文書に対応するサイトの情報が更新されているとして、そのサイトの情報をインターネット５上からコンテンツデータとして取得し、ＰＣ９のハードディスク装置９２０の所定の取得コンテンツ記憶エリア９２１に記憶する。
【００５２】
また、他の例としては電子メールである。予め受信メールサーバのアドレス、ユーザ名、パスワード等の電子メールの受信に必要な情報や、電子メール受信のタイミング（所定時間ごと、指定された時刻、インターネット５に接続した際など）を設定する。すると、登録されたタイミングでＰＣ９が受信メールサーバに接続した際に、受信メールサーバに電子メールが到着していれば、この電子メールをＰＣ９にダウンロードして、コンテンツデータとしてハードディスク装置９２０の所定の取得コンテンツ記憶エリア９２１に記憶する。また、他の例としてはスケジュール管理ツールやＴｏＤｏリスト（実行しなければならない仕事をリストアップしたもの）のリマインダ機能がある。リマインダ機能では、予め設定されたスケジュールに従って、指定された日付に情報をユーザに通知する。
【００５３】
このように、「自動取得」では、ユーザがわざわざコンテンツを指定しなくても、最新のコンテンツが自動で取得される。よって、ユーザは意識することなく、コンテンツが更新されたこと、作成されたことを知り、その情報をコンテンツ表示装置１で閲覧することができる。なお、「自動取得」によりコンテンツデータがハードディスクに記憶される際には、ヘッダデータが作成される。このヘッダデータには、「手動取得」の場合と同様にコンテンツ名、コンテンツサイズが記憶され、「自動取得」で取得されたコンテンツであることを示す値（例えば、「０」）が記憶される。
【００５４】
本発明の要部は、このように「手動取得」及び「自動取得」という異なる方法で取得されたコンテンツを、コンテンツ表示装置１が取得した際のコンテンツ表示装置１の「コンテンツ記憶手段」への記憶の方法である。詳細には、コンテンツを記憶しようとして記憶できない場合の対処の方法である。なお、第一の実施の形態から第三の実施の形態ではメモリカード１７のコンテンツ記憶エリア３００（図１８参照）が「コンテンツ記憶手段」に該当する。なお、以下、「手動取得」により取得されたコンテンツを「手動取得コンテンツ」、「自動取得」により取得されたコンテンツを「自動取得コンテンツ」といい、コンテンツ記憶エリア３００に記憶された「手動取得コンテンツ」を「手動コンテンツ」、コンテンツ記憶エリア３００に記憶された「自動取得コンテンツ」を「自動コンテンツ」ということとする。
【００５５】
ここで、図２乃至図１０を参照して、コンテンツ記憶エリア３００について説明図５００〜説明図５０１を用いて説明する。図２は、コンテンツ記憶エリア３００における手動コンテンツの記憶可能容量を説明するための説明図５００であり、図３は、自動コンテンツが「全容量−手動コンテンツの記憶可能容量」の容量を超えて記憶されている状態を示す説明図５０１であり、図４は、手動コンテンツが手動コンテンツの記憶可能容量を超えて記憶さている、本実施の形態では許されていない状態を示す説明図５０２である。そして、図５は、手動取得コンテンツを記憶しようとしても記憶できない状態の一例を示した説明図５０３であり、図６は、手動取得コンテンツを記憶しようとしても記憶できない状態の一例を示した説明図５０４である。図７は、自動取得コンテンツを記憶しようとしても記憶できない状態の一例を示した説明図５０５であり、図８は、自動取得コンテンツを記憶しようとしても記憶できない状態の一例を示した説明図５０６であり、図９は、自動取得コンテンツを記憶しようとしても記憶できない状態の一例を示した説明図５０７であり、図１０は、自動取得コンテンツを記憶しようとしても記憶できない状態の一例を示した説明図５０８である。
【００５６】
図２乃至図１０においては、コンテンツ記憶エリア３００の記憶容量を帯で示し、自動コンテンツを記憶している記憶容量を図の左から左下がり斜線で塗り潰して示している。これを自動コンテンツ記憶容量２９０とする。そして、手動コンテンツを記憶している記憶容量を図の右から右下がり斜線で塗り潰して示している。これを手動コンテンツ記憶容量１９０とする。第一の実施の形態から第三の実施の形態では、図２に示す説明図５００に示すように、上限値を定めることにより手動取得コンテンツを記憶可能な容量が定められており、上限値以上の容量の手動取得コンテンツを記憶することができない。つまり、図４に示す説明図５０２に示すような状態とすることはできない。しかしながら、自動取得コンテンツは手動コンテンツの記憶可能容量に食い込んで記憶する。つまり、「全容量−手動コンテンツの記憶可能容量」以上の容量の自動取得コンテンツを記憶する。この状態が図３に示す説明図５０１の状態である。以下、この「全容量−手動コンテンツの記憶可能容量」を超えて記憶されている自動コンテンツの容量を「オーバ容量ＶＯ」といい、手動コンテンツの記憶可能容量を「手動記憶可能容量」、「全容量−手動コンテンツの記憶可能容量」を「自動割当容量」と呼ぶこととする。
【００５７】
次に、図５及び図６を参照して、手動取得コンテンツを記憶する際に記憶容量が確保できない場合について説明する。図５に示す説明図５０３のように、「手動記憶可能容量−手動コンテンツ記憶容量１９０」である「手動記憶可能容量における空き容量ＭＦＳ」が追加する手動コンテンツの記憶容量１９０よりも少ない場合には、手動取得コンテンツを記憶できない。また、図６に示す説明図５０４に示すように、「手動コンテンツの記憶可能容量−手動コンテンツ記憶容量１９０−オーバ容量ＶＯ」が追加する手動取得コンテンツの記憶容量１９０よりも少ない場合にも、手動取得コンテンツを記憶できない。説明図５０３，５０４のいずれの場合も、手動記憶可能容量における空き容量ＭＦＳが追加する手動取得コンテンツの記憶容量１９０よりも少ない状態と捉えることができる。
【００５８】
図５に示す説明図５０３のような場合には、手動コンテンツを削除しないと手動取得コンテンツを記憶することはできない。そこで、コンテンツ表示装置１は「記憶容量が足りずコンテンツが記憶できないので、手動コンテンツを削除してください。」という旨のメッセージを表示部１０に表示し、ユーザへ手動コンテンツの削除を促す。記憶しようとした手動取得コンテンツは記憶されない。また、図６に示す説明図５０４のような場合には、自動割当容量を超えて記憶している自動コンテンツを削除すれば、主導コンテンツを記憶することができる。そこで、所定の条件に従って自動コンテンツを自動的に削除する。第一の実施の形態から第三の実施の形態により、ここでどれだけの容量の自動コンテンツを削除するかが異なる。
【００５９】
次に、図７乃至図１０を参照して、自動取得コンテンツを記憶する際に記憶容量が確保できない場合について説明する。図７に示す説明図５０５のように、自動割当容量には自動コンテンツがすべて記憶されている。自動コンテンツは自動割当容量を超えて記憶することができるが、「手動記憶可能容量−手動コンテンツ記憶容量１９０」、すなわち手動記憶可能容量における空き容量ＭＦＳが追加する自動取得コンテンツの記憶容量２９０よりも少ないので、記憶できない。また、図８に示す説明図５０６においては、自動割当容量には自動コンテンツがすべて記憶されており、さらに自動割当容量を超えて記憶されているが、「手動コンテンツの記憶可能容量−手動コンテンツ記憶容量１９０−オーバ容量ＶＯ」すなわち手動記憶可能容量における空き容量ＭＦＳが追加する自動コマンドの記憶容量２９０よりも少ないので、記憶できない。
【００６０】
また、図９に示す説明図５０７のように、自動割当容量に空き容量ＡＦＳがあるが、追加する自動取得コンテンツの容量２９０よりも少なく、手動記憶可能容量には手動コンテンツがすべて記憶されている場合も記憶できない。さらに、図１０に示す説明図５０８のように、自動割当容量に空き容量ＡＦＳがあるが、追加する自動取得コンテンツの容量２９０よりも少なく、手動記憶可能容量に空き容量ＭＦＳがあるが、自動割当容量の空き容量ＡＦＳと手動記憶可能容量の空き容量ＭＦＳを合わせても追加する自動取得コンテンツの容量２９０よりも少ない場合にも記憶できない。
【００６１】
説明図５０５〜５０８のように、自動取得コンテンツが記憶できない場合には、自動コンテンツを削除すれば、手動コンテンツを記憶することができる。そこで、所定の条件に従って自動コンテンツを自動的に削除する。第一の実施の形態から第三の実施の形態により、ここでどれだけの容量の自動コンテンツを削除するかが異なる。
【００６２】
ここで、自動コンテンツの削除の条件について説明する。１つ目の条件（第一条件）は、「コンテンツを使用済みであること」である。つまり、コンテンツが既に表示部１０に表示されているということである。表示部１０に表示済みであれば、ユーザはこのコンテンツを閲覧したと考えられるので、空き容量を確保するために削除して差し支えない。２つ目の条件（第二条件）は、「コンテンツの生成日時（コンテンツ表示装置１のコンテンツ記憶エリア１７０に記憶された日時）から所定期間経過した自動コンテンツであること」である。第一の実施の形態から第三の実施の形態では所定期間を１週間とする。３つめの条件（第三条件）は、「コンテンツ記憶エリア１７０に記憶されている自動コンテンツのうちで生成日時の古いものから所定数個のコンテンツであること」である。第一の実施の形態から第三の実施の形態では所定数を「１」として、古いものから順に１つずつ自動コンテンツを削除している。第一の実施の形態から第三の実施の形態では削除する自動コンテンツの数を「１」としているが、これは「１」に限らず、２個ずつ削除したり、始めに全体の個数の半分、次にはその半分、次にはその半分というように削除する個数を減らしていってたり、１つずつ減らす個数を減らしていったりしてもよい。
【００６３】
ここで、第一の実施の形態から第三の実施の形態の違いについて説明する。第一の実施の形態では、手動取得コンテンツを記憶する際に記憶できない場合、第一条件を満たす自動コンテンツをすべて削除し、第二条件を満たす自動コンテンツをすべて削除し、第三条件を満たす自動コンテンツを手動取得コンテンツを記憶する空き容量が確保できるまで削除する。そして、自動取得コンテンツを記憶する際に記憶できない場合には、第一条件を満たす自動コンテンツをすべて削除し、第二条件を満たす自動コンテンツをすべて削除し、第三条件を満たす自動コンテンツを、自動取得コンテンツを記憶する空き容量が確保できるまで削除する。
【００６４】
第二の実施の形態では、手動取得コンテンツを記憶する際に記憶できない場合、第一条件を満たす自動コンテンツをすべて削除し、第二条件を満たす自動コンテンツを手動取得コンテンツを記憶する空き容量が確保できるまで削除し、第三条件を満たす自動コンテンツを手動取得コンテンツを記憶する空き容量が確保できるまで削除する。そして、自動取得コンテンツを記憶する際に記憶できない場合には、第一条件を満たす自動コンテンツをすべて削除し、第二条件を満たす自動コンテンツを自動取得コンテンツを記憶する空き容量が確保できるまで削除し、第三条件を満たす自動コンテンツを自動取得コンテンツを記憶する空き容量が確保できるまで削除する。
【００６５】
第三の実施の形態では、手動取得コンテンツを記憶する際に記憶できない場合は、第一の第一の実施の形態と同様に、第一条件を満たす自動コンテンツをすべて削除し、第二条件を満たす自動コンテンツをすべて削除し、第三条件を満たす自動コンテンツを、オーバ容量ＶＯがなくなるまで削除する。
【００６６】
次に、図１１及び図１２を参照して、第一の実施の形態から第三の実施の形態に共通するＰＣ９及びコンテンツ表示装置１の電気的構成について説明する。図１１は、ＰＣ９の電気的構成を示す模式図であり、図１２は、コンテンツ表示装置１の電気的構成を示す模式図である。
【００６７】
まず、ＰＣ９について説明する。ＰＣ９は所謂パーソナルコンピュータであり、汎用型の装置である。図１１に示すように、ＰＣ９にはＰＣ９の制御を司るＣＰＵ９０１が設けられており、ＣＰＵ９０１には、各種のデータを一時的に記憶するＲＡＭ９０２と、ＢＩＯＳ等を記憶したＲＯＭ９０３と、データの受け渡しの仲介を行うＩ／Ｏインタフェイス９０４とが接続されている。Ｉ／Ｏインタフェイス９０４には、ハードディスク装置９２０が接続され、当該ハードディスク装置９２０には、取得コンテンツ記憶エリア９２１と、プログラム記憶エリア９２２と、その他の情報記憶エリア９２３が少なくとも設けられている。
【００６８】
なお、取得コンテンツ記憶エリア９２１は、前述したコンテンツ取得及びコンテンツ表示装置１への送信を行うコンテンツ取得アプリケーションにおいて使用され、取得されたコンテンツや当該コンテンツのヘッダデータが記憶されている。プログラム記憶エリア９２２にはＣＰＵ９０１で実行されるコンテンツ取得アプリケーションのプログラムが記憶されており、その他の情報記憶エリア９２３には、ＰＣ９で使用されるその他の情報が記憶されている。
【００６９】
また、Ｉ／Ｏインタフェイス９０４には、マウス９１１と、ビデオコントローラ９０６と、キーコントローラ９０７と、ＵＳＢドライブ９０９と、通信装置９０５とが接続され、ビデオコントローラ９０６にはディスプレイ９１２が接続され、キーコントローラ９０７にはキーボード９１３が接続される。そして、通信装置９０５はインターネット５に接続可能となっている。この通信装置９０５が「送信手段」及び「受信手段」に該当する。そして、ＵＳＢドライブ９０９にはＵＳＢケーブルを用いてコンテンツ表示装置１を接続可能となっている。また、ＰＣ９はインターネット５だけでなく、ＬＡＮに接続する構成を示す模式図を有していてもよいことはいうまでもない。
【００７０】
次に、コンテンツ表示装置１について説明する。図１２に示すように、コンテンツ表示装置１にはコンテンツ表示装置１の制御を司るＣＰＵ１１、制御プログラム等を記憶したＲＯＭ１２と、各種のデータを一時的に記憶するＲＡＭ１３と、各種データを記憶する不揮発性メモリであるＥＥＰＲＯＭ１４とが設けられている。さらに、コンテンツ表示装置１には、画像を表示する表示部１０、メモリカード１７を接続するメモリカードインタフェース１６が設けられている。さらに、ＰＣ９と接続するための通信部１５が設けられている。なお、ＰＣ９はインターネット５に接続可能である。さらに、コンテンツ表示装置１には、上キー２１，下キー２２，左キー２４，右キー２３、決定キー２５、目次キー２６、削除キー２７（図１参照）が設けられている。これらのＲＯＭ１２、ＲＡＭ１３、ＥＥＰＲＯＭ１４、表示部１０、メモリカードインタフェース１６、通信部１５、上キー２１，下キー２２，左キー２４，右キー２３、決定キー２５、目次キー２６、削除キー２７はバスを介してＣＰＵ１１に接続されている。
【００７１】
次に、図１３乃至図１７を参照して、ＲＡＭ１３、ＥＥＰＲＯＭ１４、メモリカード１７に設けられている記憶エリアについて説明する。図１３は、ＲＡＭ１３の記憶エリアの構成を示す模式図であり、図１４は、ＥＥＰＲＯＭ１４の記憶エリアの構成を示す模式図であり、図１５は、メモリカード１７の記憶エリアの構成を示す模式図であり、図１６は、ＥＥＰＲＯＭ１４の手動コンテンツリスト記憶エリア１４２の構成を示す模式図であり、図１７は、ＥＥＰＲＯＭ１４の自動コンテンツリスト記憶エリア１４３の構成を示す模式図である。
【００７２】
図１３に示すように、ＲＡＭ１３には、ページデータ展開領域１３１、表示部１０に表示する表示用データを格納するためのページデータ展開領域１３１、メモリカード１７へのアクセス時に一時使用領域として使用するメモリカードアクセス用ワークエリア１３２、一時的に使用するための表示処理ワークエリア１３３、ＰＣ９から受信したヘッダデータを記憶する受信ヘッダデータ記憶エリア１３４、コンテンツ取得処理において一時的に使用するための取得処理ワークエリア１３５等が設けられている。なお、ＲＡＭ１３には、図示外のその他の記憶領域も設けられている。
【００７３】
図１４に示すように、ＥＥＰＲＯＭ１４には、手動コンテンツ上限値記憶エリア１４１、手動コンテンツリスト記憶エリア１４２、自動コンテンツリスト記憶エリア１４３等が設けられている。手動コンテンツ上限値記憶エリア１４１には、手動記憶可能容量が記憶されており、手動コンテンツリスト記憶エリア１４２には、メモリカード１７のコンテンツ記憶エリア３００に記憶されている手動コンテンツに関する情報が記憶されており（図１６参照）、自動コンテンツリスト記憶エリア１４３には、コンテンツ記憶エリア３００に記憶されている自動コンテンツに関する情報が記憶されている（図１７参照）。なお、ＥＥＰＲＯＭ１４には、図示外のその他の記憶領域も設けられている。
【００７４】
図１５に示すように、メモリカード１７には、コンテンツ記憶エリア３００が設けられている。このコンテンツ記憶エリア３００には、取得手動コンテンツが手動コンテンツとして記憶され、取得自動コンテンツが自動コンテンツとして記憶される。図１５に示す例では、第一手動コンテンツ記憶エリア１１０，第二手動コンテンツ記憶エリア１２０，第一自動コンテンツ記憶エリア２１０，第二自動コンテンツ記憶エリア２２０等が設けられ、２つの手動コンテンツと２つの自動コンテンツが記憶されている。各コンテンツ記憶エリアには、ヘッダ記憶エリア及びデータ記憶エリアが設けられている。例えば、第一手動コンテンツ記憶エリア１１０にはそれぞれヘッダ記憶エリア１１１及びデータ記憶エリア１１２が設けられている。ヘッダ記憶エリア１１１には、コンテンツＩＤ、コンテンツ名、コンテンツサイズ、手動取得か自動取得かを示す値（以下「取得情報」という）が記憶されている。なお、メモリカード１７には、図示外のその他の記憶領域も設けられている。このメモリカード１７のコンテンツ記憶エリア３００が「コンテンツ記憶手段」に該当する。
【００７５】
図１６に示すように、手動コンテンツリスト記憶エリア１４２には、コンテンツＩＤ欄、コンテンツ属性欄、データ容量欄、生成日時欄、閲覧日時欄が設けられている。手動取得コンテンツがコンテンツ記憶エリア３００に記憶されると、手動コンテンツリストにその手動コンテンツのデータが追加される。コンテンツＩＤ欄には、手動コンテンツリストに追加される際にユニークな符号が割り当てられ記憶される。コンテンツ属性欄にはヘッダデータに記憶されている取得情報が記憶される。そして、データ容量欄には、ヘッダデータに記憶されているコンテンツサイズが記憶され、生成日時欄にはコンテンツ記憶エリアに手動取得コンテンツが記憶された日時が記憶され、閲覧日時欄には表示部１０に手動コンテンツが表示された日時が記憶される。
【００７６】
そして、図１７に示すように自動コンテンツリスト記憶エリア１４３には、手動コンテンツリスト記憶エリア１４２と同様に、コンテンツＩＤ欄、コンテンツ属性欄、データ容量欄、生成日時欄、閲覧日時欄が設けられている。自動取得コンテンツがコンテンツ記憶エリア３００に記憶されると、自動コンテンツリストにその手動コンテンツのデータが追加される。各欄に記憶される情報は手動コンテンツリストと同様である。
【００７７】
次に、図１８乃至図２７を参照して、第１の実施の形態について説明する。図１８は、メイン処理のフローチャートであり、図１９は、メイン処理の中で実施されるコンテンツ選択処理のフローチャートであり、図２０は、メイン処理の中で実施されるコンテンツ削除処理のフローチャートであり、図２１は、メイン処理の中で実施されるコンテンツ取得処理のフローチャートである。そして、図２２は、コンテンツ取得処理の中で実施される手動コンテンツ取得処理のフローチャートであり、図２３は、手動コンテンツ取得処理の中で実施される手動取得時コンテンツ削除処理のフローチャートである。そして、図２４は、手動取得時コンテンツ削除処理及び自動取得時コンテンツ削除処理の中で実施される既読コンテンツ削除処理のフローチャートであり、図２５は、手動取得時コンテンツ削除処理及び自動取得時コンテンツ削除処理の中で実施される期限切れ削除処理のフローチャートである。図２６は、コンテンツ取得処理の中で実施される自動コンテンツ取得処理のローチャートであり、図２７は、自動コンテンツ取得処理の中で実施される自動取得時コンテンツ削除処理のフローチャートである。
【００７８】
まず、図１８に示すフローチャートを参照して、メイン処理について説明する。メイン処理は、コンテンツ表示装置１の電源が投入され、種々の初期処理が行われた後に実施される。まず、手動コンテンツリスト記憶エリア１４２及び自動コンテンツリスト記憶エリア１４３からメモリカード１７に記憶されているコンテンツの情報が取得され（Ｓ１）、表示部１０に目次画面（図示外）が表示される（Ｓ２）。目次画面にはコンテンツ名が並んで表示されている。なお、先頭に表示されているコンテンツをカーソルが選択した状態で表示されている。この目次画面に表示されるコンテンツの順はコンテンツＩＤ順であってもよいし、コンテンツ名順であってもよいし、生成日時順であってもよいし、閲覧日時の入っていないコンテンツ（未読コンテンツ）を上に表示するようにしてもよい。
【００７９】
そして、電源がＯＦＦされたか否かの判断が行われる（Ｓ３）。電源がＯＦＦされれば（Ｓ３：ＹＥＳ）、本処理は終了する。電源がＯＦＦされていなければ（Ｓ３：ＮＯ）、Ｓ４〜Ｓ９の判断が行われる。まず、上キー２１又は下キー２２が操作されたか否かの判断が行われる（Ｓ４）。上キー２１又は下キー２２が選択されていれば（Ｓ４：ＹＥＳ）、目次画面が表示部１０に表示されているか否かの判断が行われる（Ｓ１０）。目次画面表示中であれば（Ｓ１０：ＹＥＳ）、目次画面中のカーソルを上下に移動させて選択されているコンテンツを更新する処理が行われる（Ｓ１１）。そしてＳ３へ戻る。なお、図示しないが、ＲＡＭ１３の選択コンテンツ記憶エリアに、カーソルに選択されているコンテンツのコンテンツＩＤが記憶される。また、目次画面が表示されていなければ（Ｓ１０：ＮＯ）、Ｓ３へ戻る。
【００８０】
また、決定キー２５が操作された場合には（Ｓ４：ＮＯ、Ｓ５：ＹＥＳ）、コンテンツ選択処理が行われ（Ｓ１２、図１９参照）、Ｓ３へ戻る。ここで、図１９のフローチャートを参照してコンテンツ選択処理について説明する。図１９に示すように、コンテンツ選択処理では、目次画面が表示部１０に表示されているか否かの判断が行われる（Ｓ２１）。目次画面が表示されていれば（Ｓ２１：ＹＥＳ）、カーソルに選択されているコンテンツの１ページ目の画像が表示部１０に表示される（Ｓ２２）。具体的には、選択コンテンツ記憶エリアに記憶されているコンテンツＩＤのコンテンツのコンテンツデータが、コンテンツ記憶エリア３００の該当するデータ記憶エリアから取得され、メモリカードアクセス用ワークエリア１３２に記憶される。また、当該コンテンツのコンテンツＩＤが表示処理ワークエリア１３３に記憶される。そして、１ページ目の画像がページデータ展開領域に展開され、表示部１０の表示が更新される（Ｓ２３）。
【００８１】
そして、表示部１０に表示されたコンテンツが自動コンテンツであれば、自動コンテンツリストの当該コンテンツの閲覧日時欄に現在日時が記憶され、手動コンテンツであれば、手動コンテンツリストの当該コンテンツの閲覧日時欄に現在日時が記憶される（Ｓ２４）。表示されたコンテンツが自動コンテンツであるか、手動コンテンツであるかは、コンテンツ記憶エリア３００の当該コンテンツの記憶エリアにおけるヘッダ記憶エリアに記憶されている取得時を参照すればよい。そして、メイン処理へ戻る。なお、目次画面が表示されていなければ（Ｓ２１：ＮＯ）、そのままメイン処理へ戻る。
【００８２】
次いで、図１８に示すメイン処理に戻り、右キー２３又は左キー２４が操作された場合を考える（Ｓ４：ＮＯ，Ｓ５：ＮＯ，Ｓ６：ＹＥＳ）。ここでは、表示部１０にコンテンツが表示中であるか否かの判断が行われる（Ｓ１３）。コンテンツが表示中であれば（Ｓ１３：ＹＥＳ）、ページめくりの指示が行われているということなので、右キー２３であれば１つ前のページに表示が更新され、左キー２４であれば１つ後のページに表示が更新される（Ｓ１４）。そして、Ｓ３へ戻る。
【００８３】
また、目次キー２６が操作された場合には（Ｓ４：ＮＯ，Ｓ５：ＮＯ，Ｓ６：ＮＯ，Ｓ７：ＹＥＳ）、手動コンテンツリスト記憶エリア１４２及び自動コンテンツリスト記憶エリア１４３からメモリカード１７に記憶されているコンテンツのデータが取得され（Ｓ１５）、表示部１０に目次画面が表示される（Ｓ１６）。そして、Ｓ３へ戻る。
【００８４】
また、削除キー２７が操作された場合には（Ｓ４：ＮＯ，Ｓ５：ＮＯ，Ｓ６：ＮＯ，Ｓ７：ＮＯ，Ｓ８：ＹＥＳ）、コンテンツ削除処理が行われる（Ｓ１７、図２０参照）。そして、Ｓ３へ戻る。ここで、図２０のフローチャートを参照して、コンテンツ削除処理について説明する。図２０に示すように、まず、目次画面が表示部１０に表示されているか否かの判断が行われる（Ｓ３１）。目次画面が表示されていれば（Ｓ３１：ＹＥＳ）、カーソルに選択されているコンテンツが自動コンテンツリスト又は手動コンテンツリストから削除され（Ｓ３３）、メモリカード１７のコンテンツ記憶エリア３００から該当するコンテンツのコンテンツ記憶エリアが削除される（Ｓ３４）。そして、削除後のコンテンツリストから目次画面が作成されて、表示部１０に表示される（Ｓ３５）。そして、メイン処理へ戻る。なお、Ｓ３６においては、選択コンテンツ記憶エリアに記憶されているコンテンツＩＤが自動コンテンツリスト及び手動コンテンツリストのコンテンツＩＤ欄から探索され、探索されたコンテンツＩＤのデータが削除される。
【００８５】
また、目次画面が表示されていなけば（Ｓ３１：ＮＯ）、コンテンツが表示部１０に表示されているか否かの判断が行われる（Ｓ３２）。コンテンツが表示部１０に表示されていれば（Ｓ３２：ＹＥＳ）、表示中のコンテンツのコンテンツＩＤが表示処理ワークエリア１３３から取得され、自動コンテンツリスト及び手動コンテンツリストのコンテンツＩＤ欄から探索され、探索されたコンテンツＩＤのデータが削除される（Ｓ３６）。そして、メモリカード１７のコンテンツ記憶エリア３００から該当するコンテンツのコンテンツ記憶エリアが削除される（Ｓ３７）。そして、削除後のコンテンツリストから目次画面が作成されて、表示部１０に表示される（Ｓ３８）。そして、メイン処理へ戻る。
【００８６】
次いで、図１８に示すメイン処理に戻り、ＰＣ９に接続されて、コンテンツのヘッダデータが送信されてきた場合を考える（Ｓ４：ＮＯ，Ｓ５：ＮＯ，Ｓ６：ＮＯ，Ｓ７：ＮＯ，Ｓ８：ＮＯ，Ｓ９：ＹＥＳ）。ＰＣ９のアプリケーションでは、コンテンツ表示装置１を検出すると、コンテンツ表示装置１へ送信するとされているコンテンツのヘッダデータをコンテンツ表示装置１へ送信する。また、コンテンツ表示装置１では、ＰＣ９からヘッダデータを受信すると、受信したヘッダデータをＲＡＭ１３の受信ヘッダデータ記憶エリア１３４に記憶する。そこで、Ｓ９では、ＰＣ９に接続してヘッダデータが送信され、受信ヘッダデータ記憶エリア１３４に記憶されているか否かの判断が行われる。受信ヘッダデータ記憶エリア１３４にヘッダデータがあれば（Ｓ９：ＹＥＳ）、コンテンツ取得処理が行われる（Ｓ１８、図２１参照）。このコンテンツ取得処理は本発明の要部であり、図２１乃至２６のフローチャートを参照して、このメイン処理の説明の後に詳述する。Ｓ１８でコンテンツ取得処理において、ＰＣ９から取得したコンテンツがメモリカード１７のコンテンツ記憶エリア３００に記憶されると、Ｓ３へ戻る。そして、電源がＯＦＦとされるまで（Ｓ３：ＹＥＳ）、Ｓ４〜Ｓ９の判断処理が繰り返し実施され、何らかの操作が行われた場合には、それに応じた処理が行われる。また、いずれの操作も行われていない場合にはＳ（Ｓ４：ＮＯ，Ｓ５：ＮＯ，Ｓ６：ＮＯ，Ｓ７：ＮＯ，Ｓ８：ＮＯ，Ｓ９：ＮＯ）、そのままＳ３へ戻る。
【００８７】
ここで、図２１乃至２６のフローチャートを参照して、本発明の要部であるコンテンツ取得処理について説明する。まず、図２１に示すように、ＰＣ９から送信されたヘッダデータがＲＡＭ１３に記憶されているか否かの判断が行われる（Ｓ４１）。ヘッダデータがＲＡＭ１３に記憶されていたので、メイン処理のＳ９においてＹＥＳと判断され、本処理が行われているので、ここでは、ヘッダデータはＲＡＭ１３に記憶されていると判断される（Ｓ４１：ＹＥＳ）。
【００８８】
そこで、ヘッダデータが読み出され（Ｓ４２）、ヘッダデータの取得情報が自動取得コンテンツを示しているか否かの判断が行われる（Ｓ４３）。そして、取得情報が「１」であり自動取得コンテンツを示していれば（Ｓ４３：ＹＥＳ）、自動コンテンツ取得処理が行われ（Ｓ４４、図２６参照）、取得情報が「１」でなく自動取得コンテンツを示していなければ（Ｓ４３：ＮＯ）、取得情報は「０」であり手動取得コンテンツを示しているので、手動コンテンツ取得処理が行われる（Ｓ４５、図２２参照）。そして、いずれの場合も、コンテンツをメモリカード１７のコンテンツ記憶エリア３００へ記憶するための処理が行われる。そしてＳ４１へ戻る。なお、処理の行われたヘッダデータについては、自動コンテンツ取得処理（Ｓ４４）又は手動コンテンツ取得処理（Ｓ４５）において受信ヘッダデータ記憶エリア１３４から削除される。この自動コンテンツ取得処理（Ｓ４４）及び手動コンテンツ取得処理（Ｓ４５）については、このコンテンツ取得処理の説明の後に詳述する。
【００８９】
コンテンツ取得処理において、Ｓ４１へ戻ると、ＰＣ９から送信されたヘッダデータがＲＡＭ１３に記憶されているか否かの判断が行われる（Ｓ４１）。ＰＣ９から送信されたヘッダデータが複数あった場合には、まだヘッダデータがＲＡＭ１３に記憶されているので（Ｓ４１：ＹＥＳ）、ヘッダデータが読み出され、自動取得コンテンツであれば（Ｓ４３：ＹＥＳ）、自動コンテンツ取得処理が行われ（Ｓ４４）、手動取得コンテンツであれば（Ｓ４３：ＮＯ）、手動コンテンツ取得処理が行われる（Ｓ４５）。このようにして、ＰＣ９から送信されたすべてのヘッダデータについての処理が行われたら、Ｓ４１において、ヘッダデータがないと判断され（Ｓ４１：ＮＯ）、本コンテンツ取得処理は終了し、メイン処理へ戻る。
【００９０】
次に、図２２のフローチャートを参照して、手動コンテンツ取得処理について説明する。まず、ヘッダデータ内のコンテンツサイズ（以下、「取得コンテンツサイズ」という）が手動記憶可能容量よりも大きいか否かの判断が行われる（Ｓ５１）。手動記憶可能容量よりもコンテンツサイズが大きければ（Ｓ５１：ＹＥＳ）、自動コンテンツをどれだけ削除しても手動取得コンテンツを記憶することはできないので、記憶容量オーバを伝えるメッセージが表示部１０に表示されて（Ｓ５２）、当該コンテンツのヘッダデータがＲＡＭ１３から削除されて（Ｓ６２）、コンテンツ取得処理へ戻る。
【００９１】
取得コンテンツサイズが手動記憶可能容量よりも大きくなければ（Ｓ５１：ＮＯ）、手動記憶可能容量の空き容量ＭＦＳが取得される（Ｓ５３）。具体的には、手動コンテンツ上限値記憶エリアに記憶されている値から、手動コンテンツリスト記憶エリア１４２に記憶されているすべてのデータのデータ容量欄の値を引いた値が「空き容量ＭＦＳ」とされる。そして、取得コンテンツサイズが空き容量ＭＦＳ以下であるか否かの判断が行われる（Ｓ５４）。空き容量ＭＦＳ以下であれば（Ｓ５４：ＹＥＳ）、十分な空き容量があり、手動取得コンテンツを記憶することができるので、ＰＣ９から当該ヘッダデータのコンテンツデータが取得される（Ｓ５９）。具体的には、ヘッダデータに記載されているコンテンツＩＤのコンテンツのコンテンツデータを要求する情報がＰＣ９へ送信される。ＰＣ９では、この情報を受信するとアプリケーションにて、指定されたコンテンツＩＤのコンテンツデータをコンテンツ表示装置１へ送信する。そして、コンテンツ表示装置１では、送信されたコンテンツデータを受信する。
【００９２】
そして、コンテンツ表示装置１では、受信したコンテンツデータ及びＲＡＭ１３に記憶されているヘッダデータがメモリカード１７のコンテンツ記憶エリア３００に記憶される（Ｓ６０）。そして、手動コンテンツリストに当該コンテンツのデータが追加され（Ｓ６１）、当該コンテンツのヘッダデータがＲＡＭ１３から削除されて（Ｓ６２）、コンテンツ取得処理へ戻る。
【００９３】
また、取得コンテンツサイズが空き容量ＭＦＳ以下でなかった場合には（Ｓ５４：ＮＯ）、自動割当容量を超えて記憶されている自動コンテンツの容量が取得され「オーバ容量ＶＯ」とされ、ＲＡＭ１３の取得処理ワークエリア１３５に記憶される（Ｓ５５）。具体的には、例えば、「自動コンテンツリスト記憶エリア１４３に記憶されているすべてのコンテンツのデータ容量欄の値」から「コンテンツ記憶エリア３００の全容量−手動記憶可能容量」を引いた値が「オーバ容量ＶＯ」とされる。つまり、図６に「ＶＯ」として示すだけの容量である。
【００９４】
そして、取得コンテンツサイズがオーバ容量ＶＯ以下であるか否かの判断が行われる（Ｓ５６）。取得コンテンツサイズがオーバ容量ＶＯ以下でなく、オーバ容量より大きければ（Ｓ５６：ＮＯ）、いくら自動コンテンツを削除しても、手動記憶可能容量の空き容量は取得コンテンツサイズよりも大きくならないので、自動取得コンテンツを削除しても、図７に示す説明図５０５のような手動コンテンツ記憶容量１９０及び自動コンテンツ記憶容量２９０の状態となるだけであり、手動取得コンテンツを記憶することはできない。また、オーバ容量ＶＯ＝０であった場合でも、図５に示す説明図５０３のような状態であり、手動取得コンテンツを記憶することはできない。そこで、容量不足であり、手動コンテンツを削除する必要がある旨のメッセージが表示部１０に表示され（Ｓ５８）、当該コンテンツのヘッダデータがＲＡＭ１３から削除されて（Ｓ６２）、コンテンツ取得処理へ戻る。
【００９５】
また、取得コンテンツサイズがオーバ容量ＶＯ以下である場合には（Ｓ５６：ＹＥＳ）、自動コンテンツを削除すれば、手動取得コンテンツを記憶することができる。図６に示す説明図５０４の状態がこれに該当する。そこで、手動取得時コンテンツ削除処理が行われる（Ｓ５７、図２３参照）。この手動取得時コンテンツ削除処理では、取得コンテンツサイズの空き容量が確保できるだけ自動コンテンツが削除される。詳細についてはこの手動コンテンツ取得処理の説明の後に詳述する。手動取得時コンテンツ削除処理が行われ（Ｓ５７）、手動取得コンテンツを記憶できるだけの空き容量が確保されたら、ＰＣ９から当該ヘッダデータのコンテンツデータが取得され（Ｓ５９）、取得されたコンテンツデータ及びＲＡＭ１３に記憶されているヘッダデータがメモリカード１７のコンテンツ記憶エリア３００に記憶される（Ｓ６０）。そして、手動コンテンツリストに当該コンテンツのデータが追加され（Ｓ６１）、当該コンテンツのヘッダデータがＲＡＭ１３から削除されて（Ｓ６２）、コンテンツ取得処理へ戻る。
【００９６】
ここで、図２３のフローチャートを参照して、手動取得時コンテンツ削除処理について説明する。まず、自動コンテンツを削除する際の基準容量であるＶＮ、削除された自動コンテンツの容量の合計であるＶＣに初期値が記憶される（Ｓ７１）。これらの基準容量ＶＮ及び削除合計容量ＶＣはＲＡＭ１３の取得処理ワークエリア１３５に記憶される。基準容量ＶＮには無限大を示す値が記憶され、ＶＣには「０」が記憶される。そして、既読コンテンツ削除処理が行われ（Ｓ７２、図２４参照）、次いで期限切れコンテンツ削除処理が行われる（Ｓ７３、図２５参照）。本第一の実施の形態では、既読コンテンツ削除処理では、自動コンテンツリストの閲覧日時欄に日時が記載されている自動コンテンツ、つまり、一度表示部１０に表示された既読のコンテンツをすべて削除する（第一条件）。そして、期限切れコンテンツ削除処理では、メモリカード１７のコンテンツ記憶エリア３００に記憶された日時、つまり、自動コンテンツリストの生成日時欄から所定期間が経過した自動コンテンツをすべて削除している（第二条件）。なお、本第一の実施の形態では所定期間を１週間としている。これらの既読コンテンツ削除処理及び期限切れコンテンツ削除処理については、図２４，図２５を参照して、この手動取得時コンテンツ削除処理の説明の後に詳述する。
【００９７】
期限切れコンテンツ削除処理が終了すると（Ｓ７３）、基準容量ＶＮに取得コンテンツサイズが記憶される（Ｓ７４）。Ｓ７５〜Ｓ７７の処理において、削除合計容量ＶＣが基準容量ＶＮ以上となるまで、自動コンテンツリストの生成日時が最も古い自動コンテンツを１つずつ削除している（第三条件）。つまり、基準容量ＶＮは取得コンテンツサイズであるので、削除合計容量ＶＣが取得コンテンツサイズ以上となるまで、生成日時の古い順に自動コンテンツを１つずつ削除している。
【００９８】
具体的には、削除合計容量ＶＣが基準容量ＶＮ以上であるか否かの判断が行われ（Ｓ７５）、基準容量ＶＮ以上でなければ（Ｓ７５：ＮＯ）、自動コンテンツリストの中で最も生成日時欄の日時の古いデータのデータ容量欄の値が削除合計容量ＶＣに加算され（Ｓ７６）、この自動コンテンツリストの中で最も生成日時欄の日時の古い自動コンテンツのコンテンツＩＤの自動コンテンツがコンテンツ記憶エリア３００から削除される（Ｓ７７）。そして、Ｓ７５へ戻る。
【００９９】
そして、再び、削除合計容量ＶＣが基準容量ＶＮ以上であるか否かの判断が行われる（Ｓ７５）。ここで、Ｓ７７、Ｓ７６により１つの自動コンテンツを削除したことにより削除合計容量ＶＣが基準容量ＶＮ以上となっていれば（Ｓ７５：ＹＥＳ）、手動取得コンテンツを記憶できるだけの空き容量が確保されたことになるので、手動コンテンツ取得処理へ戻る。また、まだ削除合計容量ＶＣが基準容量ＶＮ以上でなければ（Ｓ７６：ＮＯ）、次に生成日時の古い自動コンテンツが１つ削除されることとなる（Ｓ７６，Ｓ７７）。そして、繰り返しＳ７５〜Ｓ７７の処理が実施され、削除合計容量ＶＣが基準容量ＶＮ以上となれば（Ｓ７５：ＹＥＳ）、手動コンテンツ取得処理へ戻る。
【０１００】
次に、図２４のフローチャートを参照して、既読コンテンツ削除処理について説明する。まず、自動コンテンツ数ＮＡが取得される（Ｓ１０１）。具体的には、自動コンテンツリストに記憶されているコンテンツのデータの数が計数されて、自動コンテンツ数ＮＡに記憶される。なお、自動コンテンツ数ＮＡはＲＡＭ１３の取得処理ワークエリア１３５に記憶される。そして、自動コンテンツリストのデータを指定するための変数ｉに初期値の「０」が記憶される（Ｓ１０２）。そして、変数ｉが自動コンテンツ数ＮＡ以下であるか否かの判断が行われる（Ｓ１０３）。変数ｉが自動コンテンツ数ＮＡ以下であれば（Ｓ１０３：ＹＥＳ）、まだ検討していない自動コンテンツリストのデータが存在する。
【０１０１】
そこで、自動コンテンツリストのｉ番目のデータの閲覧日時欄の値が取得される（Ｓ１０４）。そして、閲覧日時欄に日時が記憶されているか否かにより、ｉ番目のデータの自動コンテンツが既読であるか否かの判断が行われる（Ｓ１０５）。閲覧日時欄が初期値でない場合には日時が記憶されていると判断され（Ｓ１０５：ＹＥＳ）、ｉ番目のデータの自動コンテンツが削除される（Ｓ１０６〜Ｓ１０８）、自動コンテンツをどれだけ削除しても自動取得コンテンツを記憶する。そこで、まず、ｉ番目のデータのデータ容量欄の値が削除合計容量ＶＣに加算され（Ｓ１０６）、自動コンテンツリストからｉ番目のデータが削除され（Ｓ１０７）、ｉ番目のデータのコンテンツＩＤ欄のＩＤの自動コンテンツがコンテンツ記憶エリア３００から削除される（Ｓ１０８）。そして、データが１つ削除されたので自動コンテンツ数ＮＡから「１」が減算されて（Ｓ１０９）、Ｓ１０３へ戻る。なお、データを削除した場合にはｉ＋１番目のデータが繰り上がってｉ番目となるので、変数ｉへの加算は行われない。
【０１０２】
一方、閲覧日時欄に日時が記憶されておらず、ｉ番目のデータの自動コンテンツが既読でなければ（Ｓ１０５：ＮＯ）、その自動コンテンツは残しておくので、次のデータを検討するための変数ｉに「１」が加算されて（Ｓ１１０）、そのままＳ１０３へ戻る。そして、Ｓ１０３〜Ｓ１１０の処理が繰り返し実施され、変数ｉが自動コンテンツ数ＮＡ以下でなくなれば（Ｓ１０３：ＮＯ）、すべての自動コンテンツリストのデータを検討したことになるので、本処理を終了して、手動取得時コンテンツ削除処理へ戻る。
【０１０３】
このようにして、第一条件である「コンテンツを使用済みであること」という条件を満たす自動コンテンツがすべて削除される。
【０１０４】
次に、図２５のフローチャートを参照して、期限切れコンテンツ削除処理について説明する。まず、自動コンテンツ数ＮＡが取得される（Ｓ１２１）。具体的には、自動コンテンツリストに記憶されているコンテンツのデータの数が計数されて、自動コンテンツ数ＮＡに記憶される。なお、自動コンテンツ数ＮＡはＲＡＭ１３の取得処理ワークエリア１３５に記憶される。そして、自動コンテンツリストのデータを指定するための変数ｉに初期値の「０」が記憶される（Ｓ１２２）。そして、変数ｉが自動コンテンツ数ＮＡ以下であるか否かの判断が行われる（Ｓ１２３）。変数ｉが自動コンテンツ数ＮＡ以下であれば（Ｓ１２３：ＹＥＳ）、まだ検討していない自動コンテンツリストのデータが存在する。
【０１０５】
そこで、削除合計容量ＶＣが基準容量ＶＮ以上となったか否かの判断が行われる（Ｓ１２４）。本第一の実施形態では初期値として、基準容量ＶＮに「無限大」を示す値が記憶されているので、ここで削除合計容量ＶＣが基準容量ＶＮ以上となることはない（Ｓ１２４：ＮＯ）。そして、自動コンテンツリストのｉ番目のデータの経過日時ｄが算出されて、取得処理ワークエリア１３５に記憶される（Ｓ１２５）。具体的には、自動コンテンツリストのｉ番目の生成日時と現在日時との差が求められる。そして、経過日時ｄが１週間（６０４８００秒）以上であるか否かを判断することにより、所定期間を経過したか否かの判断が行われる（Ｓ１２６）。経過日時ｄが１週間以上であった場合には（Ｓ１２６：ＹＥＳ）、ｉ番目のデータの自動コンテンツが削除される。そこで、まず、ｉ番目のデータのデータ容量欄の値が削除合計容量ＶＣに加算され（Ｓ１２７）、自動コンテンツリストからｉ番目のデータが削除され（Ｓ１２８）、ｉ番目のデータのコンテンツＩＤ欄のＩＤの自動コンテンツがコンテンツ記憶エリア３００から削除される（Ｓ１２９）。そして、データが１つ削除されたので自動コンテンツ数ＮＡから「１」が減算されて（Ｓ１３０）、Ｓ１２３へ戻る。なお、データを削除した場合にはｉ＋１番目のデータが繰り上がってｉ番目となるので、変数ｉへの加算は行われない。
【０１０６】
一方、経過日時ｄが１週間以上でなければ（Ｓ１２６：ＮＯ）、その自動コンテンツは残しておくので、次のデータを検討するための変数ｉに「１」が加算されて（Ｓ１３１）、そのままＳ１２３へ戻る。そして、Ｓ１２３〜Ｓ１３１の処理が繰り返し実施され、変数ｉが自動コンテンツ数ＮＡ以下でなくなれば（Ｓ１２３：ＮＯ）、すべての自動コンテンツリストのデータを検討したことになるので、本処理を終了して、手動取得時コンテンツ削除処理へ戻る。
【０１０７】
このようにして、第二条件である「コンテンツの生成日時（コンテンツ表示装置１のコンテンツ記憶エリア１７０に記憶された日時）から所定期間経過した自動コンテンツであること」という条件を満たす自動コンテンツがすべて削除される。
【０１０８】
次に、図２６のフローチャートを参照して、コンテンツ取得処理（図２１参照）で取得されたコンテンツが自動取得コンテンツであった場合に実施される自動コンテンツ取得処理について説明する。まず、取得コンテンツサイズが手動コンテンツが記憶されている以外の容量、つまり、「コンテンツ記憶エリア３００の全容量−手動コンテンツの合計容量」よりも大きいか否かの判断が行われる（Ｓ１５１）。コンテンツ記憶エリア３００の「コンテンツ記憶エリア３００の全容量−手動コンテンツの合計容量」よりもコンテンツサイズが大きければ（Ｓ１５１：ＹＥＳ）、自動取得コンテンツを記憶することはできないので、記憶容量オーバを伝えるメッセージが表示部１０に表示されて（Ｓ１５２）、当該コンテンツのヘッダデータがＲＡＭ１３から削除されて（Ｓ１６２）、コンテンツ取得処理へ戻る。
【０１０９】
取得コンテンツサイズが手動記憶可能容量よりも大きくなければ（Ｓ１５１：ＮＯ）、手動記憶可能容量の空き容量ＭＦＳが取得される（Ｓ１５３）。算出方法は、手動コンテンツ取得処理のＳ５３と同様である（図２２参照）。そして、取得コンテンツサイズが空き容量ＭＦＳ以下であるか否かの判断が行われる（Ｓ１５４）。空き容量ＭＦＳ以下であれば（Ｓ１５４：ＹＥＳ）、手動記憶可能容量内に十分な空き容量があり、自動取得コンテンツを記憶することができるので、ＰＣ９から当該ヘッダデータのコンテンツデータが取得される（Ｓ１５９）。具体的には、ヘッダデータに記載されているコンテンツＩＤのコンテンツのコンテンツデータを要求する情報がＰＣ９へ送信される。ＰＣ９では、この情報を受信するとアプリケーションにて、指定されたコンテンツＩＤのコンテンツデータをコンテンツ表示装置１へ送信する。そして、コンテンツ表示装置１では、送信されたコンテンツデータを受信する。
【０１１０】
そして、コンテンツ表示装置１では、受信したコンテンツデータ及びＲＡＭ１３に記憶されているヘッダデータがメモリカード１７のコンテンツ記憶エリア３００に記憶される（Ｓ１６０）。そして、自動コンテンツリストに当該コンテンツのデータが追加され（Ｓ１６１）、当該コンテンツのヘッダデータがＲＡＭ１３から削除されて（Ｓ１６２）、コンテンツ取得処理へ戻る。
【０１１１】
また、取得コンテンツサイズが空き容量ＭＦＳ以下でなかった場合には（Ｓ１５４：ＮＯ）、自動割当容量の空き容量ＡＦＳが取得される（Ｓ１５５）。具体的には、コンテンツ記憶エリア３００の全容量から、手動コンテンツ上限値記憶エリアに記憶されている値を引いた値を算出し、さらに、自動コンテンツリスト記憶エリア１４３に記憶されているすべてのデータのデータ容量欄の値を引いた値が「空き容量ＡＦＳ」とされる。そして、取得コンテンツサイズが空き容量ＡＦＳ以下であるか否かの判断が行われる（Ｓ１５６）。空き容量ＡＦＳ以下であれば（Ｓ１５６：ＹＥＳ）、自動割当容量内に十分な空き容量があり、自動割当容量内で自動取得コンテンツを記憶することができるので、ＰＣ９から当該ヘッダデータのコンテンツデータが取得され（Ｓ１５９）、取得されたコンテンツデータ及びＲＡＭ１３に記憶されているヘッダデータがメモリカード１７のコンテンツ記憶エリア３００に記憶される（Ｓ１６０）。そして、自動コンテンツリストに当該コンテンツのデータが追加され（Ｓ１６１）、当該コンテンツのヘッダデータがＲＡＭ１３から削除されて（Ｓ１６２）、コンテンツ取得処理へ戻る。
【０１１２】
また、取得コンテンツサイズが空き容量ＡＦＳ以下でなかった場合には（Ｓ１５６：ＮＯ）、自動コンテンツを削除して空き容量を確保しなければならない。そこで、自動取得時コンテンツ削除処理が行われる（Ｓ１５７、図２７参照）。本第一の実施の形態において、この自動取得時コンテンツ削除処理では、第一条件を満たす自動コンテンツ、第二条件を満たす自動コンテンツ、第三条件を満たす自動コンテンツがすべて削除される。詳細についてはこの自動コンテンツ取得処理の説明の後に詳述する。自動取得時コンテンツ削除処理（Ｓ１５７）では、空き容量が確保されて、取得されたコンテンツデータ及びＲＡＭ１３に記憶されているヘッダデータがメモリカード１７のコンテンツ記憶エリア３００に記憶されて、自動コンテンツリストに当該コンテンツのデータが追加される。そして、当該コンテンツのヘッダデータがＲＡＭ１３から削除されて（Ｓ１６２）、コンテンツ取得処理へ戻る。
【０１１３】
ここで、図２３のフローチャートを参照して、自動取得時コンテンツ削除処理について説明する。まず、自動コンテンツを削除する際の基準容量であるＶＮ、削除された自動コンテンツの容量の合計であるＶＣに初期値が記憶される（Ｓ１７１）。これらの基準容量ＶＮ及び削除合計容量ＶＣはＲＡＭ１３の取得処理ワークエリア１３５に記憶される。基準容量ＶＮには無限大を示す値が記憶され、ＶＣには「０」が記憶される。そして、既読コンテンツ削除処理が行われ（Ｓ１７２、図２４参照）、次いで期限切れコンテンツ削除処理が行われる（Ｓ１７３、図２５参照）。これらの既読コンテンツ削除処理及び期限切れコンテンツ削除処理については、手動取得時コンテンツ削除処理において実施された処理と同様であるので、説明を引用して省略する。
【０１１４】
期限切れコンテンツ削除処理が終了すると（Ｓ１７３）、手動記憶可能容量の空き容量ＭＦＳが取得される（Ｓ１７４）。算出方法は、手動コンテンツ取得処理のＳ５３と同様である（図２２参照）。そして、取得コンテンツサイズが空き容量ＭＦＳ以下であるか否かの判断が行われる（Ｓ１７５）。空き容量ＭＦＳ以下であれば（Ｓ１７５：ＹＥＳ）、手動記憶可能容量内に十分な空き容量があり、自動取得コンテンツを記憶することができるので、ＰＣ９から当該ヘッダデータのコンテンツデータが取得され（Ｓ１７９）、取得されたコンテンツデータ及びＲＡＭ１３に記憶されているヘッダデータがメモリカード１７のコンテンツ記憶エリア３００に記憶される（Ｓ１８０）。そして、自動コンテンツリストに当該コンテンツのデータが追加され（Ｓ１８１）、自動コンテンツ取得処理へ戻る。
【０１１５】
また、取得コンテンツサイズが空き容量ＭＦＳ以下でなかった場合には（Ｓ１７５：ＮＯ）、自動割当容量の空き容量ＡＦＳが取得される（Ｓ１７６）。取得の方法は、自動コンテンツ取得処理のＳ１５５と同様である。そして、取得コンテンツサイズが空き容量ＡＦＳ以下であるか否かの判断が行われる（Ｓ１７７）。空き容量ＡＦＳ以下であれば（Ｓ１７７：ＹＥＳ）、自動割当容量内に十分な空き容量があり、自動割当容量内で自動取得コンテンツを記憶することができるので、ＰＣ９から当該ヘッダデータのコンテンツデータが取得され（Ｓ１７９）、取得されたコンテンツデータ及びＲＡＭ１３に記憶されているヘッダデータがメモリカード１７のコンテンツ記憶エリア３００に記憶される（Ｓ１８０）。そして、自動コンテンツリストに当該コンテンツのデータが追加され（Ｓ１８１）、自動コンテンツ取得処理へ戻る。
【０１１６】
また、取得コンテンツサイズが空き容量ＡＦＳ以下でなかった場合には（Ｓ１７７：ＮＯ）、自動コンテンツを削除して空き容量を確保しなければならない。そこで、自動コンテンツリストの中で最も生成日時欄の日時の古いデータが削除される（Ｓ１７８）。そして、Ｓ１７４へ戻る。そして、手動記憶可能容量内に取得コンテンツサイズだけの空き容量ができるまで（Ｓ１７５：ＹＥＳ）、又は、自動割当容量内に取得コンテンツサイズだけの空き容量ができるまで（Ｓ１７７：ＹＥＳ）、繰り返しＳ１７４〜Ｓ１７５の処理が実施される。そして、取得コンテンツサイズだけの空き容量が確保されたら（Ｓ１７５：ＹＥＳ又はＳ１７７：ＹＥＳ）、ＰＣ９から当該ヘッダデータのコンテンツデータが取得され（Ｓ１７９）、取得されたコンテンツデータ及びＲＡＭ１３に記憶されているヘッダデータがメモリカード１７のコンテンツ記憶エリア３００に記憶される（Ｓ１８０）。そして、自動コンテンツリストに当該コンテンツのデータが追加され（Ｓ１８１）、自動コンテンツ取得処理へ戻る。
【０１１７】
たとえば、図８に示す説明図５０６のような場合には、手動記憶可能容量にオーバして自動コンテンツが記憶されているので、自動コンテンツを削除してゆくと、手動記憶可能容量内に取得コンテンツサイズだけの空き容量が確保されることとなり、Ｓ１７５においてＹＥＳと判断されてＳ１７９へ進む。また、図７に示す説明図５０５のような場合や手動記憶可能容量いっぱいに手動コンテンツが記憶されているような場合には、自動コンテンツを削除してゆくと、自動割当容量内に空き容量が確保されることとなり、Ｓ１７７においてＹＥＳと判断されてＳ１７９へ進む。
【０１１８】
以上のようにして、手動取得コンテンツを記憶する際に記憶できない場合、第一条件を満たす自動コンテンツをすべて削除し、第二条件を満たす自動コンテンツをすべて削除し、第三条件を満たす自動コンテンツを手動取得コンテンツを記憶する空き容量が確保できるまで削除している。そして、自動取得コンテンツを記憶する際に記憶できない場合には、第一条件を満たす自動コンテンツをすべて削除し、第二条件を満たす自動コンテンツをすべて削除し、第三条件を満たす自動コンテンツを、自動取得コンテンツを記憶する空き容量が確保できるまで削除している。
【０１１９】
したがって、既読の自動コンテンツを削除し、所定期間を経過した自動コンテンツを削除しても、取得された自動コンテンツを記憶できるだけの空き容量が確保されない場合には、十分な空き容量が確保されるまで古い自動コンテンツから順に削除してゆくので、確実に自動取得コンテンツをコンテンツ記憶エリア３００に記憶させることができる。また、手動取得コンテンツの場合でも、「手動記憶可能容量−手動コンテンツの容量」が手動取得コンテンツのサイズよりも大きければ、既読の自動コンテンツを削除し、所定期間を経過した自動コンテンツを削除しても、取得された自動コンテンツを記憶できるだけの空き容量が確保されない場合には、十分な空き容量が確保されるまで古い自動コンテンツから順に削除してゆくので、確実に手動取得コンテンツをコンテンツ記憶エリア３００に記憶させることができる。よって、ユーザは、コンテンツの更新や生成を受動的に知ることができるという自動取得の効果を損なうことがない。
【０１２０】
また、手動取得コンテンツのサイズが「手動記憶可能容量−手動コンテンツの容量」よりも大きければ、いくら自動コンテンツを削除しても、手動取得コンテンツを記憶可能なだけの空き容量を確保できないので、その場合にはユーザに対してその旨の報知を行い、自動コンテンツを削除しないので、記憶できないにもかかわらず、自動コンテンツを削除してしまうことがない。また、自動手動コンテンツのサイズが「コンテンツ記憶エリア３００の全容量−手動コンテンツの合計容量」よりも大きい場合にも、いくら自動コンテンツを削除しても、手動自動コンテンツを記憶可能なだけの空き容量を確保できないので、その場合にはユーザに対してその旨の報知を行い、自動コンテンツを削除しないので、記憶できないにもかかわらず、自動コンテンツを削除してしまうことがない。つまり、不必要に自動コンテンツを削除することがない。
【０１２１】
なお、本第一の実施の形態における、図２２に示す手動コンテンツ取得処理のＳ５４の処理を行うＣＰＵ１１が「記憶容量判断手段」に相当し、Ｓ５４，Ｓ６０，Ｓ６１の処理を行うＣＰＵ１１が「手動コンテンツ記憶制御手段」に相当し、Ｓ５８の処理を実施するＣＰＵ１１が「メッセージ出力制御手段」に相当し、図２６に示す自動コンテンツ取得処理のＳ１５３〜Ｓ１５６の処理を行うＣＰＵ１１が「自動記憶判断手段」に相当し、Ｓ１５３〜Ｓ１５６，Ｓ１５９，Ｓ１６０の処理を行うＣＰＵ１１が「自動コンテンツ記憶制御手動手段」に相当し、Ｓ１５７の処理を行うＣＰＵ１１が「第一自動削除記憶制御手段」に相当する。そして、図２２に示す手動コンテンツ取得処理のＳ５７，Ｓ６０，Ｓ６１に相当する。
【０１２２】
次に、図２８及び図２９を参照して、第二の実施の形態について説明する。第二の実施の形態では、手動取得コンテンツを記憶する際に記憶できない場合、第一条件を満たす自動コンテンツをすべて削除し、第二条件を満たす自動コンテンツを手動取得コンテンツを記憶する空き容量が確保できるまで削除し、第三条件を満たす自動コンテンツを手動取得コンテンツを記憶する空き容量が確保できるまで削除する。そして、自動取得コンテンツを記憶する際に記憶できない場合には、第一条件を満たす自動コンテンツをすべて削除し、第二条件を満たす自動コンテンツを自動取得コンテンツを記憶する空き容量が確保できるまで削除し、第三条件を満たす自動コンテンツを自動取得コンテンツを記憶する空き容量が確保できるまで削除する。
【０１２３】
そこで、第一の実施の形態と異なる処理が行われるのは、手動取得時コンテンツ削除処理及び自動取得時コンテンツ削除処理であるので、これらの処理についてのみ説明する。図２８は、第二の実施の形態の手動取得時コンテンツ削除処理のフローチャートであり、図２９は、第二の実施の形態の自動取得時コンテンツ削除処理のフローチャートである。
【０１２４】
まず、図２８のフローチャートを参照して、手動取得時コンテンツ削除処理について説明する。第一の実施の形態と異なるのは、基準容量ＶＮの値である。第一の実施の形態では、初期値として「無限大」を与え（Ｓ７１）、既読コンテンツ削除処理（Ｓ７２）と期限切れコンテンツ削除処理（Ｓ７３）とが実施された後に基準容量ＶＮに取得コンテンツサイズを記憶して（Ｓ７４）、Ｓ７５〜Ｓ７７の処理を行っている。つまり、既読のコンテンツ（第一条件）はすべて削除し、期限切れコンテンツ（第二条件）もすべて削除したのちに、取得コンテンツサイズのコンテンツを記憶するのに十分な空き容量が確保されるまで最も古いコンテンツ（第三条件）を削除している。
【０１２５】
しかしながら、本第二の実施の形態では、まず初期値として基準容量ＶＮに取得コンテンツサイズが与えられ、第一の実施の形態と同様に削除合計容量ＶＣには初期値「０」が与えられる（Ｓ２７１）。そして、既読コンテンツ削除処理が行われるが（Ｓ２７２）、既読コンテンツ削除処理（図２４参照）では、基準容量ＶＮは使用されないので、第一の実施の形態と同様に、すべての既読コンテンツが削除される。詳細については第一の実施の形態における説明を引用して省略する。
【０１２６】
次いで、期限切れコンテンツ削除処理が行われる（Ｓ２７３）。この期限切れコンテンツ削除処理では、図２５に示すように、Ｓ１２４において削除合計容量ＶＣを基準容量ＶＮと比較する際に、削除合計容量ＶＣを取得コンテンツサイズと比較しており、削除合計容量ＶＣが取得コンテンツサイズ以上でない間は（Ｓ１２４：ＮＯ）、Ｓ１２５〜Ｓ１３１の処理が実施されて、所定期間を経過していれば（Ｓ１２６：ＹＥＳ）、自動コンテンツを削除するための処理が行われている（Ｓ１２７〜Ｓ１３０）。そして、削除合計容量ＶＣが取得コンテンツサイズ以上となったら（Ｓ１２４：ＹＥＳ）、期限切れコンテンツ削除処理が終了されている。つまり、期限切れコンテンツを削除する場合（第二条件）には、第一の実施の形態のようにすべての期限切れコンテンツが削除されるのではなく、取得コンテンツサイズのコンテンツを記憶するのに十分な空き容量が確保されるだけ削除される。
【０１２７】
次いで、第二の実施の形態の手動取得コンテンツ削除処理では、削除合計容量ＶＣと基準容量ＶＮ（取得コンテンツサイズ）の値が比較され（Ｓ２７４）、Ｓ２７５〜Ｓ２７６の処理において、削除合計容量ＶＣが基準容量ＶＮ以上となるまで、自動コンテンツリストの生成日時が最も古い自動コンテンツを１つずつ削除している（第三条件）。
【０１２８】
次に、図２９のフローチャートを参照して、第二の実施の形態における自動取得時コンテンツ削除処理について説明する。第一の実施の形態と異なるのは、基準容量ＶＮの値である。第一の実施の形態では、初期値として「無限大」を与え（Ｓ１７１）、既読コンテンツ削除処理（Ｓ１７２）と期限切れコンテンツ削除処理（Ｓ１７３）とが実施された後にＳ１７４〜Ｓ１８１の処理を行っている。つまり、既読のコンテンツ（第一条件）はすべて削除し、期限切れコンテンツ（第二条件）もすべて削除したのちに、取得コンテンツサイズのコンテンツを記憶するのに十分な空き容量が確保されるまで最も古いコンテンツ（第三条件）を削除している。
【０１２９】
しかしながら、本第二の実施の形態では、まず初期値として基準容量ＶＮに取得コンテンツサイズが与えられ、第一の実施の形態と同様に削除合計容量ＶＣには初期値「０」が与えられる（Ｓ３７１）。そして、既読コンテンツ削除処理が行われるが（Ｓ３７２）、既読コンテンツ削除処理（図２４参照）では、基準容量ＶＮは使用されないので、第一の実施の形態と同様に、すべての既読コンテンツが削除される。詳細については第一の実施の形態における説明を引用して省略する。
【０１３０】
次いで、期限切れコンテンツ削除処理が行われる（Ｓ３７３）。この期限切れコンテンツ削除処理では、図２５に示すように、Ｓ１２４において削除合計容量ＶＣを基準容量ＶＮと比較する際に、削除合計容量ＶＣを取得コンテンツサイズと比較しており、削除合計容量ＶＣが取得コンテンツサイズ以上でない間は（Ｓ１２４：ＮＯ）、Ｓ１２５〜Ｓ１３１の処理が実施されて、所定期間を経過していれば（Ｓ１２６：ＹＥＳ）、自動コンテンツを削除するための処理が行われている（Ｓ１２７〜Ｓ１３０）。そして、削除合計容量ＶＣが取得コンテンツサイズ以上となったら（Ｓ１２４：ＹＥＳ）、期限切れコンテンツ削除処理が終了されている。つまり、期限切れコンテンツを削除する場合（第二条件）には、第一の実施の形態のようにすべての期限切れコンテンツが削除されるのではなく、取得コンテンツサイズのコンテンツを記憶するのに十分な空き容量が確保されるだけ削除される。
【０１３１】
次いで、第二の実施の形態の自動取得時コンテンツ削除処理では、第一の実施の形態の自動取得時コンテンツ削除処理と同様に、手動記憶可能容量の空き容量ＭＦＳが取得され（Ｓ３７４）、取得コンテンツサイズが空き容量ＭＦＳ以下であるか否かの判断が行われる（Ｓ３７５）。空き容量ＭＦＳ以下であれば（Ｓ３７５：ＹＥＳ）、ＰＣ９から当該ヘッダデータのコンテンツデータが取得され（Ｓ３８０）、取得されたコンテンツデータ及びＲＡＭ１３に記憶されているヘッダデータがメモリカード１７のコンテンツ記憶エリア３００に記憶される（Ｓ３８１）。そして、自動コンテンツ取得処理へ戻る。
【０１３２】
また、取得コンテンツサイズが空き容量ＭＦＳ以下でなかった場合には（Ｓ３７５：ＮＯ）、自動割当容量の空き容量ＡＦＳが取得され（Ｓ３７６）、取得コンテンツサイズが空き容量ＡＦＳ以下であるか否かの判断が行われ（Ｓ３７７）、空き容量ＡＦＳ以下であれば（Ｓ３７７：ＹＥＳ）、ＰＣ９から当該ヘッダデータのコンテンツデータが取得され（Ｓ３７９）、取得されたコンテンツデータ及びＲＡＭ１３に記憶されているヘッダデータがメモリカード１７のコンテンツ記憶エリア３００に記憶される（Ｓ３８０）。そして、自動コンテンツリストに当該コンテンツのデータが追加され（Ｓ３８１）、自動コンテンツ取得処理へ戻る。
【０１３３】
また、取得コンテンツサイズが空き容量ＡＦＳ以下でなかった場合には（Ｓ３７７：ＮＯ）、自動コンテンツリストの中で最も生成日時欄の日時の古いデータが削除され（Ｓ３７８）、Ｓ３７４へ戻る。そして、手動記憶可能容量内に取得コンテンツサイズだけの空き容量ができるまで（Ｓ３７５：ＹＥＳ）、又は、自動割当容量内に取得コンテンツサイズだけの空き容量ができるまで（Ｓ３７７：ＹＥＳ）、繰り返しＳ３７４〜Ｓ３７５の処理が実施される。そして、取得コンテンツサイズだけの空き容量が確保されたら（Ｓ３７５：ＹＥＳ又はＳ３７７：ＹＥＳ）、ＰＣ９から当該ヘッダデータのコンテンツデータが取得され（Ｓ３７９）、取得されたコンテンツデータ及びＲＡＭ１３に記憶されているヘッダデータがメモリカード１７のコンテンツ記憶エリア３００に記憶される（Ｓ３８０）。そして、自動コンテンツリストに当該コンテンツのデータが追加され（Ｓ３８１）、自動コンテンツ取得処理へ戻る。
【０１３４】
以上のようにして、手動取得コンテンツを記憶する際に記憶できない場合、第一条件を満たす自動コンテンツをすべて削除し、第二条件を満たす自動コンテンツを、手動取得コンテンツを記憶する空き容量が確保できるまで削除し、第三条件を満たす自動コンテンツを、手動取得コンテンツを記憶する空き容量が確保できるまで削除している。そして、自動取得コンテンツを記憶する際に記憶できない場合には、第一条件を満たす自動コンテンツをすべて削除し、第二条件を満たす自動コンテンツを、手動取得コンテンツを記憶する空き容量が確保できるまで削除し、第三条件を満たす自動コンテンツを、自動取得コンテンツを記憶する空き容量が確保できるまで削除している。
【０１３５】
したがって、既読の自動コンテンツを削除し、所定期間を経過した自動コンテンツを削除しても、取得された自動コンテンツを記憶できるだけの空き容量が確保されない場合には、十分な空き容量が確保されるまで古い自動コンテンツから順に削除してゆくので、確実に自動取得コンテンツをコンテンツ記憶エリア３００に記憶させることができる。また、手動取得コンテンツの場合でも、「手動記憶可能容量−手動コンテンツの容量」が手動取得コンテンツのサイズよりも大きければ、既読の自動コンテンツを削除し、所定期間を経過した自動コンテンツを削除しても、取得された自動コンテンツを記憶できるだけの空き容量が確保されない場合には、十分な空き容量が確保されるまで古い自動コンテンツから順に削除してゆくので、確実に手動取得コンテンツをコンテンツ記憶エリア３００に記憶させることができる。よって、ユーザは、コンテンツの更新や生成を受動的に知ることができるという自動取得の効果を損なうことがない。
【０１３６】
また、手動取得コンテンツのサイズが「手動記憶可能容量−手動コンテンツの容量」よりも大きければ、いくら自動コンテンツを削除しても、手動取得コンテンツを記憶可能なだけの空き容量を確保できないので、その場合にはユーザに対してその旨の報知を行い、自動コンテンツを削除しないので、記憶できないにもかかわらず、自動コンテンツを削除してしまうことがない。また、自動手動コンテンツのサイズが「コンテンツ記憶エリア３００の全容量−手動コンテンツの合計容量」よりも大きい場合にも、いくら自動コンテンツを削除しても、手動自動コンテンツを記憶可能なだけの空き容量を確保できないので、その場合にはユーザに対してその旨の報知を行い、自動コンテンツを削除しないので、記憶できないにもかかわらず、自動コンテンツを削除してしまうことがない。つまり、不必要に自動コンテンツを削除することがない。
【０１３７】
次に、図３０を参照して、第３の実施の形態について説明する。第三の実施の形態では、手動取得コンテンツを記憶する際に記憶できない場合は、第一の第一の実施の形態と同様に、第一条件を満たす自動コンテンツをすべて削除し、第二条件を満たす自動コンテンツをすべて削除し、第三条件を満たす自動コンテンツを、手動取得コンテンツを記憶する空き容量が確保できるまで削除する。そこで、第一の実施の形態と異なる処理が行われるのは、手動取得時コンテンツ削除処理であるので、この処理についてのみ説明する。図３０は、第三の実施の形態の手動取得コンテンツ削除処理のフローチャートである。
【０１３８】
第一の実施の形態と異なるのは、基準容量ＶＮの値である。第一の実施の形態では、初期値として「無限大」を与え（Ｓ７１）、既読コンテンツ削除処理（Ｓ７２）と期限切れコンテンツ削除処理（Ｓ７３）とが実施された後に基準容量ＶＮに取得コンテンツサイズを記憶して（Ｓ７４）、Ｓ７５〜Ｓ７７の処理を行っている。つまり、既読のコンテンツ（第一条件）はすべて削除し、期限切れコンテンツ（第二条件）もすべて削除したのちに、取得コンテンツサイズのコンテンツを記憶するのに十分な空き容量が確保されるまで最も古いコンテンツ（第三条件）を削除している。
【０１３９】
しかしながら、本三の実施の形態では、まず、基準容量ＶＮの初期値として与えるオーバ容量ＶＯが算出されている（Ｓ４７１）。自動割当容量を超えて記憶されている自動コンテンツの容量である。そして、基準容量ＶＮの初期値にオーバ容量ＶＯが与えられ、第一の実施の形態と同様に削除合計容量ＶＣには初期値「０」が与えられる（Ｓ４７２）。そして、既読コンテンツ削除処理が行われるが（Ｓ４７３）、既読コンテンツ削除処理（図２４参照）では、基準容量ＶＮは使用されないので、第一の実施の形態と同様に、すべての既読コンテンツが削除される。詳細については第一の実施の形態における説明を引用して省略する。
【０１４０】
次いで、期限切れコンテンツ削除処理が行われる（Ｓ４７４）。この期限切れコンテンツ削除処理では、図２５に示すように、Ｓ１２４において削除合計容量ＶＣを基準容量ＶＮと比較する際に、削除合計容量ＶＣを取得コンテンツサイズと比較しており、削除合計容量ＶＣが取得コンテンツサイズ以上でない間は（Ｓ１２４：ＮＯ）、Ｓ１２５〜Ｓ１３１の処理が実施されて、所定期間を経過していれば（Ｓ１２６：ＹＥＳ）、自動コンテンツを削除するための処理が行われている（Ｓ１２７〜Ｓ１３０）。そして、削除合計容量ＶＣが取得コンテンツサイズ以上となったら（Ｓ１２４：ＹＥＳ）、期限切れコンテンツ削除処理が終了されている。つまり、期限切れコンテンツを削除する場合（第二条件）には、第一の実施の形態のようにすべての期限切れコンテンツが削除されるのではなく、オーバ容量ＶＯがなくなるだけ削除される。
【０１４１】
次いで、第三の実施の形態の手動取得コンテンツ削除処理では、削除合計容量ＶＣと基準容量ＶＮ（取得コンテンツサイズ）の値が比較され（Ｓ４７５）、Ｓ４７６，Ｓ４７７の処理において、削除合計容量ＶＣが基準容量ＶＮ以上となるまで、自動コンテンツリストの生成日時が最も古い自動コンテンツを１つずつ削除している（第三条件）。
【０１４２】
以上のようにして、手動取得コンテンツを記憶する際に記憶できない場合、第一条件を満たす自動コンテンツをすべて削除し、第二条件を満たす自動コンテンツを、オーバ容量ＶＯがなくなるだけ削除し、第三条件を満たす自動コンテンツを、オーバ容量ＶＯがなくなるだけ削除している。したがって、「手動記憶可能容量−手動コンテンツの容量」が手動取得コンテンツのサイズよりも大きければ、既読の自動コンテンツを削除し、所定期間を経過した自動コンテンツを削除しても、取得された自動コンテンツを記憶できるだけの空き容量が確保されない場合には、自動割当容量を超えなくなるまで古い自動コンテンツから順に削除してゆくので、確実に手動取得コンテンツをコンテンツ記憶エリア３００に記憶させることができる。よって、ユーザは、コンテンツの更新や生成を受動的に知ることができるという自動取得の効果を損なうことがない。
【０１４３】
また、手動取得コンテンツのサイズが「手動記憶可能容量−手動コンテンツの容量」よりも大きければ、いくら自動コンテンツを削除しても、手動取得コンテンツを記憶可能なだけの空き容量を確保できないので、その場合にはユーザに対してその旨の報知を行い、自動コンテンツを削除しないので、記憶できないにもかかわらず、自動コンテンツを削除してしまうことがない。また、自動手動コンテンツのサイズが「コンテンツ記憶エリア３００の全容量−手動コンテンツの合計容量」よりも大きい場合にも、いくら自動コンテンツを削除しても、手動自動コンテンツを記憶可能なだけの空き容量を確保できないので、その場合にはユーザに対してその旨の報知を行い、自動コンテンツを削除しないので、記憶できないにもかかわらず、自動コンテンツを削除してしまうことがない。つまり、不必要に自動コンテンツを削除することがない。
【０１４４】
なお、本発明のコンテンツ管理装置は、上記した実施の形態に限定されるものではなく、本発明の要旨を逸脱しない範囲内において種々変更を加え得ることは勿論である。
【０１４５】
なお、第一の実施の形態から第三の実施の形態では、「コンテンツ管理装置」としてコンテンツを表示するコンテンツ表示装置１及びコンテンツを取得するＰＣ９を例に挙げて説明したが、コンテンツを表示部１０に表示させてユーザが「閲覧」するのためものとして、テキストデータや画像データといったものを用いるが、動画のデータであってもよい。また、コンテンツは「閲覧」のためのものに限らず、音楽データといったユーザが「聴く」ためのものや、静止画と音楽、動画と音楽といった映像と音楽のデータを「視聴」するものや、ゲームなどであってもよい。
【０１４６】
また、「コンテンツ管理装置」として、携帯型の専用端末であるコンテンツ表示装置１及びＰＣ９を例に挙げて説明したが、コンテンツ管理装置はこのような構成に限らない。コンテンツ表示装置１にインターネット５やＬＡＮに接続可能な機能を搭載し、手動取得手段や自動取得手段をコンテンツ表示装置１に備えるようにしてもよい。また、専用端末機でなく、ネットワークに接続可能なノート型パーソナルコンピュータやＰＤＡのような汎用機にすべての手段を備えるようにしてもよい。また、携帯型の端末に限らず、ネットワークに接続可能なデスクトップ型のパーソナルコンピュータやテレビ等であってもよい。
【０１４７】
また、第一の実施の形態から第三の実施の形態では、条件に一致した場合にはコンテンツを削除したが、条件が一致しても削除しないようにする、所謂「保護」機能を持たせても良い。例えば、ヘッダデータに保護フラグを持たせ、保護フラグがＯＮである場合には条件に一致してもコンテンツを削除しないようにすればいい。なお、この保護フラグの設定は、コンテンツ表示装置１においてユーザの操作により設定するようにしてもよいし、ＰＣ９のアプリケーションにおいて設定する機能を持たせてもよい。
【０１４８】
また、第一の実施の形態から第三の実施の形態では、１週間を経過したコンテンツを削除したが、経過期間は１週間に限らない。また、コンテンツ表示装置１又はＰＣ９のアプリケーションにおいてユーザに指定させるようにしてもよい。また、コンテンツごとに経過期間を指定しヘッダデータに記憶させるようにし、削除判断をする際にヘッダデータからこの期間を読み出して、削除するか否かを判断するようにしてもよい。
【０１４９】
また、上記第一の実施の形態から第三の実施の形態では、自動コンテンツを自動割当容量を超えて記憶しているが、自動割当容量を超えて記憶しないようにしてもよい。この場合には、自動取得時コンテンツ削除処理において手動記憶可能容量の空き容量ＭＦＳと取得コンテンツサイズを比較する処理を除けばよい。第一の実施の形態では図２７のＳ１７４，Ｓ１７５の処理であり、第二の実施の形態では図２９のＳ３７４，Ｓ３７５の処理である。
【０１５０】
また、上記第一の実施の形態から第三の実施の形態では、自動取得コンテンツを記憶する際（自動コンテンツ取得処理）の自動コンテンツを削除する第一の削除条件と、手動取得コンテンツを記憶する際（手動コンテンツ取得処理）の自動コンテンツを削除する第二の削除条件とで、同じ第一条件（既読コンテンツ）、第二条件（所定期間経過）、第三条件（古いもの）を用いたが、同じ条件を必ずしも用いなくてもよく、これらの第一条件、第二条件、第三条件との組み合わせであってもよい。例えば、自動取得コンテンツを記憶する際には第一条件及び第二条件を用い、手動取得コンテンツを記憶する際には、第三条件を用いる。さらに、上記第一の実施の形態から第三の実施の形態では、第一条件、第二条件、第三条件の順に判断して自動コンテンツを削除したが、条件を判断する順はこれに限らない。また、第一条件を満たす自動コンテンツをすべて削除したが、第一条件においても取得コンテンツサイズが空き容量となるだけ削除するだけであったり、オーバ容量ＶＯだけ削除するだけであったりしてもよい。
【０１５１】
また、上記第一の実施の形態から第三の実施の形態では、「コンテンツ記憶手段」をＰＣ９に接続されているコンテンツ表示装置１のメモリカード１７とし、ＰＣ９において取得されたコンテンツを、ＰＣ９とコンテンツ表示装置１とが接続された際にコンテンツ表示装置１において、図２１乃至図２７に示すコンテンツ取得手段が実施されて、コンテンツ表示装置１のメモリカード１７に記憶させているが、「コンテンツ記憶手段」はコンテンツ表示装置１のＥＥＰＲＯＭ１４であってもよい。
【０１５２】
また、ＰＣ９にメモリカードの接続手段を供え、「コンテンツ記憶手段」をＰＣ９に直接接続されているメモリカードとしてもよい。この場合には、コンテンツが他の装置又は自身の他の記憶手段から取得された際に、図２１乃至図２７に示すコンテンツ取得処理が、ＰＣ９のＣＰＵ９０１において行われ、ＰＣ９のみが「コンテンツ管理装置」に該当する。
【０１５３】
また、「コンテンツ記憶手段」をＰＣ９のハードディスク９２０のコンテンツ記憶エリア９２１としてもよい。この場合には、予めコンテンツ記憶エリア９２１の容量を、ここに記憶されたコンテンツを使用するコンテンツ表示装置に接続するメモリカードの容量や、コンテンツ表示装置に備えられたＥＥＰＲＯＭやハードディスクの容量において記憶可能な容量として取り決められる。そして、ＰＣ９において、ユーザによりコンテンツが指定された際（手動コンテンツ取得手段）や、予め定められた条件によりコンテンツが取得された際（自動コンテンツ取得手段）に、図２１乃至図２７に示したコンテンツ取得処理がＰＣ９のＣＵＰ９０１において行われる。この場合にも、ＰＣ９のみが「コンテンツ管理装置」に該当する。
【０１５４】
つまり、「コンテンツ記憶手段」は、「コンテンツ管理装置」に備えられていてもよいし、「コンテンツ管理装置」に接続されていてもよいし、「コンテンツ管理装置」に接続されている装置に設けられていてもよい。
【図面の簡単な説明】
【０１５５】
【図１】コンテンツ表示装置１の正面図である。
【図２】コンテンツ記憶エリア３００における手動コンテンツの記憶可能容量を説明するために示す説明図５００である。
【図３】自動コンテンツが「全容量−手動コンテンツの記憶可能容量」の容量を超えて記憶されている状態を示す説明図５０１である。
【図４】手動コンテンツが手動コンテンツの記憶可能容量を超えて記憶さている、本実施の形態では許されていない状態を示す説明図５０２である。
【図５】手動取得コンテンツを記憶しようとしても記憶できない状態の一例を示した説明図５０３である。
【図６】手動取得コンテンツを記憶しようとしても記憶できない状態の一例を示した説明図５０４である。
【図７】自動取得コンテンツを記憶しようとしても記憶できない状態の一例を示した説明図５０５である。
【図８】自動取得コンテンツを記憶しようとしても記憶できない状態の一例を示した説明図５０６である。
【図９】自動取得コンテンツを記憶しようとしても記憶できない状態の一例を示した説明図５０７である。
【図１０】自動取得コンテンツを記憶しようとしても記憶できない状態の一例を示した説明図５０８である。
【図１１】ＰＣ９の電気的構成を示す模式図である。
【図１２】コンテンツ表示装置１の電気的構成を示す模式図である。
【図１３】ＲＡＭ１３の記憶エリアの構成を示す模式図である。
【図１４】ＥＥＰＲＯＭ１４の記憶エリアの構成を示す模式図である。
【図１５】メモリカード１７の記憶エリアの構成を示す模式図である。
【図１６】ＥＥＰＲＯＭ１４の手動コンテンツリスト記憶エリア１４２の構成を示す模式図である。
【図１７】ＥＥＰＲＯＭ１４の自動コンテンツリスト記憶エリア１４３の構成を示す模式図である。
【図１８】メイン処理のフローチャートである。
【図１９】メイン処理の中で実施されるコンテンツ選択処理のフローチャートである。
【図２０】メイン処理の中で実施されるコンテンツ削除処理のフローチャートである。
【図２１】メイン処理の中で実施されるコンテンツ取得処理のフローチャートである。
【図２２】コンテンツ取得処理の中で実施される手動コンテンツ取得処理のフローチャートである。
【図２３】手動コンテンツ取得処理の中で実施される手動取得時コンテンツ削除処理のフローチャートである。
【図２４】手動取得時コンテンツ削除処理及び自動取得時コンテンツ削除処理の中で実施される既読コンテンツ削除処理のフローチャートである。
【図２５】手動取得時コンテンツ削除処理及び自動取得時コンテンツ削除処理の中で実施される期限切れ削除処理のフローチャートである。
【図２６】コンテンツ取得処理の中で実施される自動コンテンツ取得処理のローチャートである。
【図２７】自動コンテンツ取得処理の中で実施される自動取得時コンテンツ削除処理のフローチャートである。
【図２８】第二の実施の形態の手動取得時コンテンツ削除処理のフローチャートである。
【図２９】第二の実施の形態の自動取得時コンテンツ削除処理のフローチャートである。
【図３０】第三の実施の形態の手動取得コンテンツ削除処理のフローチャートである。
【符号の説明】
【０１５６】
１  コンテンツ表示装置
２  パーソナルコンピュータ
５  インターネット
９  ＰＣ
１０  表示部
１１  ＣＰＵ
１２  ＲＯＭ
１３  ＲＡＭ
１４  ＥＥＰＲＯＭ
１５  通信部
１６  メモリカードインタフェース
１７  メモリカード
１４１  手動コンテンツ上限値記憶エリア
１４２  手動コンテンツリスト記憶エリア
１４３  自動コンテンツリスト記憶エリア
３００  コンテンツ記憶エリア
９０１  ＣＰＵ
ＡＦＳ  自動割当容量の空き容量
ＭＦＳ  手動記憶可能容量の空き容量
ＮＡ  自動コンテンツ数
ＶＣ  削除合計容量
ＶＮ  基準容量
ＶＯ  オーバ容量
ｄ  経過日時
ｉ  変数
【図１】
2008084057.tif 000003
【図２】
2008084057.tif 000004
【図３】
2008084057.tif 000005
【図４】
2008084057.tif 000006
【図５】
2008084057.tif 000007
【図６】
2008084057.tif 000008
【図７】
2008084057.tif 000009
【図８】
2008084057.tif 000010
【図９】
2008084057.tif 000011
【図１０】
2008084057.tif 000012
【図１１】
2008084057.tif 000013
【図１２】
2008084057.tif 000014
【図１３】
2008084057.tif 000015
【図１４】
2008084057.tif 000016
【図１５】
2008084057.tif 000017
【図１６】
2008084057.tif 000018
【図１７】
2008084057.tif 000019
【図１８】
2008084057.tif 000020
【図１９】
2008084057.tif 000021
【図２０】
2008084057.tif 000022
【図２１】
2008084057.tif 000023
【図２２】
2008084057.tif 000024
【図２３】
2008084057.tif 000025
【図２４】
2008084057.tif 000026
【図２５】
2008084057.tif 000027
【図２６】
2008084057.tif 000028
【図２７】
2008084057.tif 000029
【図２８】
2008084057.tif 000030
【図２９】
2008084057.tif 000031
【図３０】
2008084057.tif 000032